(57)【要約】【課題】電子コンテンツを用いて表示装置上に実紙面イメージで表示される新聞、雑誌等の１紙面（１ページ）内に存在する、各々の記事、広告、又は区域について、それらが実際にどの程度の時間表示されていたかを解析可能とするシステム等を提供する。【解決手段】電子コンテンツ配信サーバ、情報表示面イメージ表示装置、及び情報表示面イメージ表示記録情報処理装置を含むシステムを提供する。情報表示面イメージ表示装置は、電子コンテンツ配信サーバから受信した電子コンテンツを用いて情報表示面イメージを表示し、情報表示面内、各区域が所定の表示範囲に所属するか否かを判断し、所属していた時間を決定し、当該所属時間に関する情報を含む情報表示面イメージ表示記録情報を生成して、情報表示面イメージ表示記録情報処理装置へと送信するための各種手段を備える。【選択図】図１
2013037577.tif 000002
【特許請求の範囲】
【請求項１】
情報表示面イメージを表す画像データを含む電子コンテンツを記憶及び配信する電子コンテンツ配信サーバと、該電子コンテンツ配信サーバにネットワークを介して接続され、該電子コンテンツを受信して情報表示面イメージを表示する、情報表示面イメージ表示装置と、該情報表示面イメージ表示装置にネットワークを介して接続されて、該情報表示面イメージ表示装置における該情報表示面イメージの表示記録情報を受信及び表示する情報表示面イメージ表示記録情報処理装置とを含む、情報表示面イメージ表示システムであって、
前記電子コンテンツ配信サーバは、
１つの情報表示面イメージに対応して解像度の異なる２以上の画像データを含む前記電子コンテンツを記憶する、電子コンテンツ記憶手段と、
前記情報表示面イメージ表示装置に対して前記電子コンテンツを配信する、電子コンテンツ配信手段と
を備え、
前記情報表示面イメージ表示装置は、
前記電子コンテンツ配信サーバから前記電子コンテンツを受信する、電子コンテンツ受信手段と、
前記情報表示面イメージの表示条件の入力を受け付ける、情報表示面イメージ表示条件入力手段と、
表示すべき情報表示面イメージに対応して、前記表示条件に適合する解像度の画像データを選択及び出力することにより、該情報表示面イメージを、その全体又は一部分が含まれる表示対象範囲に亘って表示する、情報表示面イメージ表示手段と、
前記選択された解像度の画像データを用いて表示されている、前記情報表示面イメージの情報表示面内、各区域について、前記表示対象範囲内にて規定される所定の表示範囲に該区域が所属するか否かを判断する、所属区域判断手段と、
前記各区域について、該区域が前記所定の表示範囲に所属していた時間を決定する、所属時間決定手段と、
前記各区域について決定された前記所属時間に関する情報を含む、情報表示面イメージ表示記録情報、を生成する、情報表示面イメージ表示記録情報生成手段と、
前記情報表示面イメージ表示記録情報を前記情報表示面イメージ表示記録情報処理装置に対して送信する、情報表示面イメージ表示記録情報送信手段と
を備え、
前記情報表示面イメージ表示記録情報処理装置は、
前記情報表示面イメージ表示装置から前記情報表示面イメージ表示記録情報を受信する、情報表示面イメージ表示記録情報受信手段と、
前記情報表示面イメージ表示記録情報に含まれる、前記情報表示面イメージの情報表示面内、各区域について決定された所属時間に対応する表示を、該各区域に対応付けて表示する、情報表示面イメージ表示記録情報表示手段と
を備える
ことを特徴とする、システム。
【請求項２】
前記情報表示面イメージ表示記録情報表示手段は、前記各区域に対して、全ての解像度の画像データについて前記所属時間決定手段により各々決定された所属時間の合計値に対応する視覚効果を用いて該各区域を表示する
ことを特徴とする、請求項１に記載のシステム。
【請求項３】
前記情報表示面イメージ表示記録情報表示手段は、前記各区域に対して、各々の解像度の画像データについて前記所属時間決定手段により各々決定された所属時間を重み付けした上で合計した合計値に対応する視覚効果を用いて該各区域を表示する
ことを特徴とする、請求項１に記載のシステム。
【請求項４】
前記所属区域判断手段は、前記情報表示面イメージの表示に用いられている画像データの解像度が所定の閾値以上であることを、前記区域が前記所定の表示範囲に所属すると判断するための必要条件とするか、又は、該解像度が所定の閾値を超えることを、該区域が該所定の表示範囲に所属すると判断するための必要条件とする
ことを特徴とする、請求項１に記載のシステム。
【請求項５】
前記所属区域判断手段は、判断対象の区域に占める、前記所定の表示範囲内に含まれる領域の割合が所定の閾値以上であることを、該区域が前記所定の表示範囲に所属すると判断するための条件とするか、又は、該割合が所定の閾値を超えることを、該区域が該所定の表示範囲に所属すると判断するための条件とする
ことを特徴とする、請求項１に記載のシステム。
【請求項６】
前記各区域について決定された所属時間に対応する表示は、該区域を含む記事領域に含まれる各々の区域について決定された前記所属時間の組を用いて決定された、所属時間代表値に対応する表示である
ことを特徴とする、請求項１に記載のシステム。
【請求項７】
前記所定の表示範囲は前記表示対象範囲に一致する、請求項１に記載のシステム。
【請求項８】
前記所定の表示範囲は、前記表示対象範囲の中心部を含む所定の閉領域によって規定される、請求項１に記載のシステム。
【請求項９】
前記情報表示面イメージ表示装置は、
表示されている前記情報表示面イメージの表示面内において、区域を指定した所定のイベント入力を受け付ける、区域指定イベント入力手段
を更に備え、
前記情報表示面イメージ表示記録情報表示手段は、前記各区域について決定された所属時間と、該各区域を指定して入力された前記イベント入力の記録情報と、を用いて決定されるスコアに対応する表示を、該各区域に対応付けて表示する
ことを特徴とする、請求項１に記載のシステム。
【請求項１０】
情報表示面イメージを表す画像データを含む電子コンテンツを記憶及び配信する電子コンテンツ配信サーバと、該電子コンテンツ配信サーバにネットワークを介して接続され、該電子コンテンツを受信して情報表示面イメージを表示する、情報表示面イメージ表示装置と、該情報表示面イメージ表示装置にネットワークを介して接続されて、該情報表示面イメージ表示装置における該情報表示面イメージの表示記録情報を受信及び表示する情報表示面イメージ表示記録情報処理装置とを含む、情報表示面イメージ表示システムにおいて実行される、情報表示面イメージ表示記録情報の処理方法であって、
前記電子コンテンツ配信サーバが、
１つの情報表示面イメージに対応して解像度の異なる２以上の画像データを含む電子コンテンツとして電子コンテンツ記憶手段により記憶された、該電子コンテンツを、電子コンテンツ配信手段により前記情報表示面イメージ表示装置に対して配信する
段階と、
前記情報表示面イメージ表示装置が、
電子コンテンツ受信手段により、前記電子コンテンツ配信サーバから前記電子コンテンツを受信し、
情報表示面イメージ表示条件入力手段により、前記情報表示面イメージの表示条件の入力を受け付け、
情報表示面イメージ表示手段によって、表示すべき情報表示面イメージに対応して前記表示条件に適合する解像度の画像データを選択及び出力することにより、該情報表示面イメージを、その全体又は一部分が含まれる表示対象範囲に亘って表示し、
所属区域判断手段により、前記選択された解像度の画像データを用いて表示されている、前記情報表示面イメージの情報表示面内、各区域について、前記表示対象範囲内にて規定される所定の表示範囲に該区域が所属するか否かを判断し、
所属時間決定手段により、前記各区域について、該区域が前記所定の表示範囲に所属していた時間を決定し、
情報表示面イメージ表示記録情報生成手段により、前記各区域について決定された前記所属時間に関する情報を含む、情報表示面イメージ表示記録情報、を生成し、
情報表示面イメージ表示記録情報送信手段により、前記情報表示面イメージ表示記録情報を前記情報表示面イメージ表示記録情報処理装置に対して送信する、
各段階と、
前記情報表示面イメージ表示記録情報処理装置が、
情報表示面イメージ表示記録情報受信手段により、前記情報表示面イメージ表示装置から前記情報表示面イメージ表示記録情報を受信し、
情報表示面イメージ表示記録情報表示手段により、前記情報表示面イメージ表示記録情報に含まれる、前記情報表示面イメージの情報表示面内、各区域について決定された所属時間に対応する表示を、該各区域に対応付けて表示する、
各段階と
を備えたことを特徴とする、方法。
【請求項１１】
情報表示面イメージを表す画像データを含む電子コンテンツを電子コンテンツ配信サーバから受信する、電子コンテンツ受信手段と、
前記情報表示面イメージの表示条件の入力を受け付ける、情報表示面イメージ表示条件入力手段と、
前記電子コンテンツに含まれる画像データであって、表示すべき情報表示面イメージに対応し、且つ解像度が異なる２以上の画像データから、前記表示条件に適合する解像度の画像データを選択し、該選択された画像データを出力することにより、該情報表示面イメージを、その全体又は一部分が含まれる表示対象範囲に亘って表示する、情報表示面イメージ表示手段と、
前記選択された解像度の画像データを用いて表示されている、前記情報表示面イメージの情報表示面内、各区域について、前記表示対象範囲内にて規定される所定の表示範囲に該区域が所属するか否かを判断する、所属区域判断手段と、
前記各区域について、該区域が前記所定の表示範囲に所属していた時間を決定する、所属時間決定手段と、
前記各区域について決定された前記所属時間に関する情報を含む、情報表示面イメージ表示記録情報、を生成する、情報表示面イメージ表示記録情報生成手段と、
前記情報表示面イメージ表示記録情報を情報表示面イメージ表示記録情報処理装置に対して送信する、情報表示面イメージ表示記録情報送信手段と
を備えた
ことを特徴とする、情報表示面イメージ表示装置。
【請求項１２】
コンピュータを、
情報表示面イメージを表す画像データを含む電子コンテンツを電子コンテンツ配信サーバから受信する、電子コンテンツ受信手段、
前記情報表示面イメージの表示条件の入力を受け付ける、情報表示面イメージ表示条件入力手段、
前記電子コンテンツに含まれる画像データであって、表示すべき情報表示面イメージに対応し、且つ解像度が異なる２以上の画像データから、前記表示条件に適合する解像度の画像データを選択し、該選択された画像データを出力することにより、該情報表示面イメージを、その全体又は一部分が含まれる表示対象範囲に亘って表示する、情報表示面イメージ表示手段、
前記選択された解像度の画像データを用いて表示されている、前記情報表示面イメージの情報表示面内、各区域について、前記表示対象範囲内にて規定される所定の表示範囲に該区域が所属するか否かを判断する、所属区域判断手段、
前記各区域について、該区域が前記所定の表示範囲に所属していた時間を決定する、所属時間決定手段、
前記各区域について決定された前記所属時間に関する情報を含む、情報表示面イメージ表示記録情報、を生成する、情報表示面イメージ表示記録情報生成手段、及び、
前記情報表示面イメージ表示記録情報を情報表示面イメージ表示記録情報処理装置に対して送信する、情報表示面イメージ表示記録情報送信手段
として機能させるためのプログラム。
【発明の詳細な説明】
【技術分野】
【０００１】
本発明は、携帯端末等の表示装置上で新聞、書籍、雑誌、チラシ広告等を実紙面イメージで表示し、表示した際の表示記録情報を処理するためのシステム、及び関連する方法、装置、プログラムに関する。
【背景技術】
【０００２】
新聞、書籍、雑誌等の刊行物は、従来、専ら紙を媒体として発行されてきたのであり、当該刊行物中、特にどのページに掲載されたどの記事が読者によく読まれていたのか、等の情報を発行者が知るためには、アンケートへの回答等、読者からの能動的な情報提供に頼る必要があった。また、紙を媒体として発行されたチラシ広告による広告効果の評価は、例えば広告の掲載前後における、当該広告掲載された商品の販売数の変化に基づいて行われていた。
【０００３】
一方、近年においては、新聞社、出版社が自己のＷｅｂサイト上で新聞記事、雑誌記事等を公開するという行為も行われている。この場合、読者からの能動的な情報提供を受けなくとも、当該Ｗｅｂサイトのアクセスログを解析することにより、読者による新聞記事等の閲覧記録を得ることができる。また、そのようなＷｅｂサイトにおいては記事と共にバナー広告等の形態で広告が掲載されることがあるが、当該バナー広告に対するクリック数を集計すれば、その広告掲載された商品等に対する読者の関心を評価することができる。これに関し、バナー広告に対するクリック数を集計して広告掲載に対する報酬額と対応付けて記録する広告管理方法が提案されている（特許文献１）。
【先行技術文献】
【特許文献】
【０００４】
【特許文献１】特開２０１１−８６０８０号公報
【発明の概要】
【発明が解決しようとする課題】
【０００５】
新聞記事、雑誌記事等をＷｅｂサイト上で公開する場合、当該Ｗｅｂサイトのデザインや記事の配置構成は、紙を媒体として発行される新聞、雑誌等のデザインや記事の配置構成と異なることが多い。そのようなＷｅｂサイトは典型的に、各記事の見出しが一覧表示されたメニューページと、各々の見出しをクリックすることによりアクセスできる、個別の記事が表示された各々のページと、により階層構造を構成しているのであり、当該各々のページにおいて、１つのページに表示される記事は通常１つである。したがって、このような構成のＷｅｂサイトにおいては、例えばページごとのページビュー数を比較することにより、公開された記事のうちどれが読者によく読まれていたのかを個別の記事ごとに把握できる。
【０００６】
一方で、スマートフォン等、描画処理能力に優れた携帯端末の普及に伴い、特に最近においては、紙を媒体として発行された刊行物と同等の実紙面イメージで記事等を端末画面に表示する電子コンテンツの提供サービスも行われている。このような電子コンテンツにおいては、１つのページに表示される記事が１つとは限らず（特に、新聞紙面を実紙面イメージで表示する場合は、通常、同一紙面イメージ内に多数の記事が表示される。）、読者は画面スクロール等の操作により目的の記事を画面に表示した上で、記事を閲覧する。したがって、ページごとのページビュー数、あるいは表示時間等を分析するだけでは、当該ページ内の各記事がどの程度読まれていたのかを知ることができない。さらに、そのような電子コンテンツにおいては、広告もバナー広告ではなく実紙面イメージとして表示されるのであり、すなわち、読者によるクリック操作を検出して商品等の詳細情報が表示された別のページを表示する、というバナー広告としての機能が実装されているとは限らない。したがって、クリック数の集計という方法によっては広告効果を評価できない場合がある。
【０００７】
上記事情に鑑み、本発明は、同一ページ内に複数の記事、広告が実紙面イメージで表示される場合であっても、個別の記事、広告、あるいはそれら記事、広告の領域を構成する各々の区域が実際にどの程度の時間表示されていたかを解析可能とする、情報表示面イメージ表示システム、及び関連する方法、装置、プログラムを提供することを課題とする。
【課題を解決するための手段】
【０００８】
上記課題を解決するべく、本発明は、情報表示面イメージを表す画像データを含む電子コンテンツを記憶及び配信する電子コンテンツ配信サーバと、電子コンテンツ配信サーバにネットワークを介して接続され、電子コンテンツを受信して情報表示面イメージを表示する、情報表示面イメージ表示装置と、情報表示面イメージ表示装置にネットワークを介して接続されて、情報表示面イメージ表示装置における情報表示面イメージの表示記録情報を受信及び表示する情報表示面イメージ表示記録情報処理装置とを含む、情報表示面イメージ表示システムを提供する。本発明のシステムにおいて、電子コンテンツ配信サーバは、１つの情報表示面イメージに対応して解像度の異なる２以上の画像データを含む電子コンテンツを記憶する、電子コンテンツ記憶手段と、情報表示面イメージ表示装置に対して電子コンテンツを配信する、電子コンテンツ配信手段とを備え、情報表示面イメージ表示装置は、電子コンテンツ配信サーバから電子コンテンツを受信する、電子コンテンツ受信手段と、情報表示面イメージの表示条件の入力を受け付ける、情報表示面イメージ表示条件入力手段と、表示すべき情報表示面イメージに対応して、表示条件に適合する解像度の画像データを選択及び出力することにより、情報表示面イメージを、その全体又は一部分が含まれる表示対象範囲に亘って表示する、情報表示面イメージ表示手段と、選択された解像度の画像データを用いて表示されている、情報表示面イメージの情報表示面内、各区域について、表示対象範囲内にて規定される所定の表示範囲に区域が所属するか否かを判断する、所属区域判断手段と、各区域について、区域が所定の表示範囲に所属していた時間を決定する、所属時間決定手段と、各区域について決定された所属時間に関する情報を含む、情報表示面イメージ表示記録情報、を生成する、情報表示面イメージ表示記録情報生成手段と、情報表示面イメージ表示記録情報を情報表示面イメージ表示記録情報処理装置に対して送信する、情報表示面イメージ表示記録情報送信手段とを備え、情報表示面イメージ表示記録情報処理装置は、情報表示面イメージ表示装置から情報表示面イメージ表示記録情報を受信する、情報表示面イメージ表示記録情報受信手段と、情報表示面イメージ表示記録情報に含まれる、情報表示面イメージの情報表示面内、各区域について決定された所属時間に対応する表示を、各区域に対応付けて表示する、情報表示面イメージ表示記録情報表示手段とを備えることを特徴とする。
【０００９】
情報表示面イメージ表示記録情報表示手段が、各区域に対して、全ての解像度の画像データについて所属時間決定手段により各々決定された所属時間の合計値に対応する視覚効果を用いて各区域を表示するよう、本発明のシステムを構成することができる。
【００１０】
情報表示面イメージ表示記録情報表示手段が、各区域に対して、各々の解像度の画像データについて所属時間決定手段により各々決定された所属時間を重み付けした上で合計した合計値に対応する視覚効果を用いて各区域を表示するよう、本発明のシステムを構成することができる。
【００１１】
所属区域判断手段が、情報表示面イメージの表示に用いられている画像データの解像度が所定の閾値以上であることを、区域が所定の表示範囲に所属すると判断するための必要条件とするか、又は、解像度が所定の閾値を超えることを、区域が所定の表示範囲に所属すると判断するための必要条件とするよう、本発明のシステムを構成することができる。
【００１２】
所属区域判断手段が、判断対象の区域に占める、所定の表示範囲内に含まれる領域の割合が所定の閾値以上であることを、区域が所定の表示範囲に所属すると判断するための条件とするか、又は、割合が所定の閾値を超えることを、区域が所定の表示範囲に所属すると判断するための条件とするよう、本発明のシステムを構成することができる。
【００１３】
各区域について決定された所属時間に対応する表示が、当該区域を含む記事領域に含まれる各々の区域について決定された所属時間の組を用いて決定された、所属時間代表値に対応する表示であるよう、本発明のシステムを構成することができる。
【００１４】
所定の表示範囲が表示対象範囲に一致するよう、本発明のシステムを構成することができる。
【００１５】
所定の表示範囲が、表示対象範囲の中心部を含む所定の閉領域によって規定されるよう、本発明のシステムを構成することができる。
【００１６】
情報表示面イメージ表示装置は、表示されている情報表示面イメージの表示面内において、区域を指定した所定のイベント入力を受け付ける区域指定イベント入力手段を更に備え、情報表示面イメージ表示記録情報表示手段は、各区域について決定された所属時間と、各区域を指定して入力されたイベント入力の記録情報と、を用いて決定されるスコアに対応する表示を各区域に対応付けて表示する、よう本発明のシステムを構成することができる。
【００１７】
本発明は、さらに、情報表示面イメージを表す画像データを含む電子コンテンツを記憶及び配信する電子コンテンツ配信サーバと、電子コンテンツ配信サーバにネットワークを介して接続され、電子コンテンツを受信して情報表示面イメージを表示する、情報表示面イメージ表示装置と、情報表示面イメージ表示装置にネットワークを介して接続されて、情報表示面イメージ表示装置における情報表示面イメージの表示記録情報を受信及び表示する情報表示面イメージ表示記録情報処理装置とを含む、情報表示面イメージ表示システムにおいて実行される、情報表示面イメージ表示記録情報の処理方法を提供する。本発明の方法は、電子コンテンツ配信サーバが、１つの情報表示面イメージに対応して解像度の異なる２以上の画像データを含む電子コンテンツとして電子コンテンツ記憶手段により記憶された、電子コンテンツを、電子コンテンツ配信手段により情報表示面イメージ表示装置に対して配信する段階と、情報表示面イメージ表示装置が、電子コンテンツ受信手段により、電子コンテンツ配信サーバから電子コンテンツを受信し、情報表示面イメージ表示条件入力手段により、情報表示面イメージの表示条件の入力を受け付け、情報表示面イメージ表示手段によって、表示すべき情報表示面イメージに対応して表示条件に適合する解像度の画像データを選択及び出力することにより、情報表示面イメージを、その全体又は一部分が含まれる表示対象範囲に亘って表示し、所属区域判断手段により、選択された解像度の画像データを用いて表示されている、情報表示面イメージの情報表示面内、各区域について、表示対象範囲内にて規定される所定の表示範囲に区域が所属するか否かを判断し、所属時間決定手段により、各区域について、区域が所定の表示範囲に所属していた時間を決定し、情報表示面イメージ表示記録情報生成手段により、各区域について決定された所属時間に関する情報を含む、情報表示面イメージ表示記録情報、を生成し、情報表示面イメージ表示記録情報送信手段により、情報表示面イメージ表示記録情報を情報表示面イメージ表示記録情報処理装置に対して送信する、各段階と、情報表示面イメージ表示記録情報処理装置が、情報表示面イメージ表示記録情報受信手段により、情報表示面イメージ表示装置から情報表示面イメージ表示記録情報を受信し、情報表示面イメージ表示記録情報表示手段により、情報表示面イメージ表示記録情報に含まれる、情報表示面イメージの情報表示面内、各区域について決定された所属時間に対応する表示を、各区域に対応付けて表示する、各段階とを備えたことを特徴とする。
【００１８】
本発明は、さらに、情報表示面イメージを表す画像データを含む電子コンテンツを電子コンテンツ配信サーバから受信する、電子コンテンツ受信手段と、情報表示面イメージの表示条件の入力を受け付ける、情報表示面イメージ表示条件入力手段と、電子コンテンツに含まれる画像データであって、表示すべき情報表示面イメージに対応し、且つ解像度が異なる２以上の画像データから、表示条件に適合する解像度の画像データを選択し、選択された画像データを出力することにより、情報表示面イメージを、その全体又は一部分が含まれる表示対象範囲に亘って表示する、情報表示面イメージ表示手段と、選択された解像度の画像データを用いて表示されている、情報表示面イメージの情報表示面内、各区域について、表示対象範囲内にて規定される所定の表示範囲に区域が所属するか否かを判断する、所属区域判断手段と、各区域について、区域が所定の表示範囲に所属していた時間を決定する、所属時間決定手段と、各区域について決定された所属時間に関する情報を含む、情報表示面イメージ表示記録情報、を生成する、情報表示面イメージ表示記録情報生成手段と、情報表示面イメージ表示記録情報を情報表示面イメージ表示記録情報処理装置に対して送信する、情報表示面イメージ表示記録情報送信手段とを備えたことを特徴とする、情報表示面イメージ表示装置を提供する。
【００１９】
本発明は、さらに、コンピュータを、情報表示面イメージを表す画像データを含む電子コンテンツを電子コンテンツ配信サーバから受信する、電子コンテンツ受信手段、情報表示面イメージの表示条件の入力を受け付ける、情報表示面イメージ表示条件入力手段、電子コンテンツに含まれる画像データであって、表示すべき情報表示面イメージに対応し、且つ解像度が異なる２以上の画像データから、表示条件に適合する解像度の画像データを選択し、選択された画像データを出力することにより、情報表示面イメージを、その全体又は一部分が含まれる表示対象範囲に亘って表示する、情報表示面イメージ表示手段、選択された解像度の画像データを用いて表示されている、情報表示面イメージの情報表示面内、各区域について、表示対象範囲内にて規定される所定の表示範囲に区域が所属するか否かを判断する、所属区域判断手段、各区域について、区域が所定の表示範囲に所属していた時間を決定する、所属時間決定手段、各区域について決定された所属時間に関する情報を含む、情報表示面イメージ表示記録情報、を生成する、情報表示面イメージ表示記録情報生成手段、及び、情報表示面イメージ表示記録情報を情報表示面イメージ表示記録情報処理装置に対して送信する、情報表示面イメージ表示記録情報送信手段
として機能させるためのプログラムを提供する。
【発明の効果】
【００２０】
本発明は、新聞、雑誌等の実紙面イメージとして複数の記事、広告等を含む情報表示面イメージの表示面内において区域ごとの表示記録を表す記録情報を処理することにより、同一ページ内であっても区域ごとに異なる表示状況をきめ細やかに分析することを可能とする。これにより、電子コンテンツとして提供された新聞、雑誌等の閲覧状況を記事レベル、あるいは更に詳細なレベルで知ることができる。また、表示面内の広告部分について閲覧状況を分析することにより、クリック数の集計が不可能な場合であっても広告効果を評価することが可能となる。
【図面の簡単な説明】
【００２１】
【図１】本発明の一実施形態に係る情報表示面イメージ表示システム１の全体構成を表すシステム構成図である。
【図２】電子コンテンツ生成装置２の具体的構成を表す構成図である。
【図３】電子コンテンツサーバ５の具体的構成を表す構成図である。
【図４】電子コンテンツ３１を記憶する電子コンテンツデータベース６の構成を表す構成図である。
【図５】Ｗｅｂサーバ７の具体的構成を表す構成図である。
【図６】情報表示面イメージ表示装置９の具体的構成を表す構成図である。
【図７】情報表示面イメージ表示記録情報処理装置１０の具体的構成を表す構成図である。
【図８】情報表示面イメージ表示装置９としてパーソナルコンピュータを用い、Ｗｅｂブラウザによって雑誌の実紙面イメージとして情報表示面イメージを表示したときの画面イメージを表す図である。
【図９】図８に示される構成において、情報表示面イメージを見開きイメージとして表示したときの画面イメージを表す図である。
【図１０】情報表示イメージを区域へと分割したときの概念的イメージを表す図である。
【図１１】情報表示面イメージの表示対象範囲内にて規定される所定の表示範囲を表す、概念的イメージ図である。
【図１２】情報表示面イメージ表示記録情報に含まれる情報項目を表形式で表す図である。
【図１３】実施例１におけるヒートマップイメージの生成、表示処理のフローを表すフローチャート図である。
【図１４】実施例１において情報表示面イメージ表示記録情報処理装置１０により生成、表示されるヒートマップイメージを表す図である。
【図１５】実施例２におけるヒートマップイメージの生成、表示処理のフローを表すフローチャート図である。
【図１６】実施例２において操作者が境界線を入力することにより特定される、記事領域を表す図である。
【図１７】情報表示面イメージ表示記録情報の形式として、図１２に示す表形式を拡張することで得られる形式を表す図である。
【図１８】実施例２において情報表示面イメージ表示記録情報処理装置１０により生成、表示される、記事レベルのヒートマップイメージを表す図である。
【図１９】実施例３において区域指定イベント入力手段により受け付けられる、クリックイベントを表わす図である。
【図２０】実施例４において用いられる、情報表示面イメージ表示記録情報の拡張された表形式を表す図である。
【図２１】実施例４において用いられる、ヒートマップイメージの表示条件を入力するための、メニュー画面の一例を示す図である。
【図２２】図２１に示すメニュー画面９０内に入力された表示条件に従って生成されるヒートマップイメージの表示画面を表す図である。
【発明を実施するための形態】
【００２２】
以下、本発明に係る情報表示面イメージ表示システム１等を実施するための形態について、図面に基づいて詳述する。但し、本発明に係る情報表示面イメージ表示システムを構成する装置、サーバ、データベースの構成、及び各種データを記憶するための表形式等は、各図面にて示される具体的構成へと限定されるわけではなく、本発明の範囲内で適宜変更可能である。また、以下の実施例においては、まずＸＭＬデータをＷｅｂサーバから表示装置へとダウンロードし、引き続き、当該ＸＭＬデータに記載されたアドレス等に基づき電子コンテンツを電子コンテンツサーバから表示装置へとダウンロードする（属性情報は、ＸＭＬデータから直接取得してもよい。）、という態様で電子コンテンツを配信することとしているが、ＸＭＬデータを用いたこのような配信に限らず、任意の方法で電子コンテンツを配信することが可能である。
【実施例１】
【００２３】
情報表示面イメージ表示システム１の全体構成
図１は、本発明の一実施形態に係る情報表示面イメージ表示システム１の全体構成を表すシステム構成図である。情報表示面イメージ表示システム１は、電子コンテンツ生成装置２が生成した電子コンテンツを記憶及び配信する電子コンテンツ配信サーバ３と、電子コンテンツを受信して情報表示面イメージを表示する、情報表示面イメージ表示装置９と、情報表示面イメージ表示装置９における情報表示面イメージの表示記録情報を受信及び表示する情報表示面イメージ表示記録情報処理装置１０とから構成されており、これらは有線又は無線の通信ネットワークを介して適切な通信プロトコルで通信可能に接続されている。一例において、電子コンテンツ配信サーバ３は、インターネットや携帯電話通信網等により構築される外部ネットワーク８−１，８−２によって、それぞれ電子コンテンツ生成装置２，情報表示面イメージ表示装置９と接続され、一方で社内ＬＡＮ（Ｌｏｃａｌ  Ａｒｅａ  Ｎｅｔｗｏｒｋ）等により構築される任意の内部ネットワーク（不図示）によって情報表示面イメージ表示記録情報処理装置１０と接続される。
【００２４】
なお、図１においては、情報表示面イメージ表示装置９と情報表示面イメージ表示記録情報処理装置１０とがそれぞれ１台ずつ描かれているが、情報表示面イメージ表示システム１に含まれるこれら装置の数は任意である。同様に、電子コンテンツ配信サーバ３も同時に複数用いることが可能である。例えば、複数の電子コンテンツ配信業者が、各々の管理する別個の電子コンテンツ配信サーバから電子コンテンツの配信を行ってもよい。
【００２５】
電子コンテンツは、典型的に、電子コンテンツ生成装置２が新聞、雑誌等の実紙面イメージデータから画像情報、属性情報を取り込み、当該画像情報に対して画像圧縮処理等を行うことによって生成される。生成された電子コンテンツは、ＦＴＰ（Ｆｉｌｅ  Ｔｒａｎｓｆｅｒ  Ｐｒｏｔｏｃｏｌ）クライアントソフトウェアを用いて電子コンテンツ配信サーバ３へと送信される。電子コンテンツ配信サーバ３は、ネットワーク８−１を介してＦＴＰサーバ４により電子コンテンツを受信し、電子コンテンツデータベース６に記憶する。しかしながら、本発明の情報表示面イメージ表示システムにおいては、このようにして生成される構成とは異なる任意の電子コンテンツ（電子コンテンツは、任意の提供業者により提供され、予め電子コンテンツ配信サーバ３内の電子コンテンツデータベース６に記憶されているとしてよい。）を処理することも可能である。このことに鑑みれば、電子コンテンツ生成装置２やＦＴＰサーバ４は、本発明のシステムにとって必須の要素ではない。
【００２６】
以下、本実施例において用いられる各種装置、サーバ、データベースの具体的構成について説明する。
【００２７】
電子コンテンツ生成装置２
電子コンテンツ生成装置２は、実紙面イメージデータを、任意のネットワーク、又はＦＴＰサーバ等（不図示）を介して、あるいは操作者の入力作業によって受信し、画像情報及び属性情報をページ毎に取り込み、画像情報に対する画像圧縮処理等を行って電子コンテンツを生成するための装置である。電子コンテンツの生成処理については、後に詳しく説明する。
【００２８】
図２に、電子コンテンツ生成装置２の具体的構成を示す。電子コンテンツ生成装置２は、中央制御部１１，一時記憶装置１２，画像やテキスト等を表示可能な任意の表示装置１３，入力装置１４，ネットワークＩ／Ｆ（インターフェース）部１５，及び記憶装置１６を備えた任意の汎用コンピュータに後述の電子コンテンツ生成プログラム１７をインストールすることで構成可能である。
【００２９】
中央制御部１１は、記憶装置１６から一時記憶装置１２上にロードされたプログラムを実行することによって情報処理を行うプロセッサ（ＣＰＵ：Ｃｅｎｔｒａｌ  Ｐｒｏｃｅｓｓｉｎｇ  Ｕｎｉｔ）の形態をとり、実行するプログラムと協働して各種の手段を構成するものである。一時記憶装置１２は、中央制御部１１によって処理されるプログラムやデータがその上に読み込まれるメモリ空間と、読み込まれたプログラムが中央制御部１１によって実行される際に必要となるワークエリア等を提供するものであり、具体的には揮発性のメモリ（ＲＡＭ：Ｒａｎｄｏｍ  Ａｃｃｅｓｓ  Ｍｅｍｏｒｙ等）の形態をとる。表示装置１３は、液晶ディスプレイ等の、画像やテキスト等を表示可能な任意のディスプレイデバイスであり、入力装置１４は、キーボードやマウス等、操作者から当該電子コンテンツ生成装置３に対して任意の命令等を入力するためのデバイスである。ネットワークＩ／Ｆ部１５は、ＦＴＰサーバ４を介する等して電子コンテンツ配信サーバ３と通信するための、ネットワークカード等を含む一群のデバイスであり、また記憶装置１６は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の、プログラム、データ等を記憶・管理するデバイスである。
【００３０】
記憶装置１６は、プログラム要素として、入出力、表示、Ｉ／Ｆを介した通信等、電子コンテンツ生成装置２の基本的な機能を実現するための基本プログラム（オペレーティングシステムや、各種デバイスのドライバソフトウェア等であり、生成した電子コンテンツを電子コンテンツ配信サーバ３へと送信するためのＦＴＰクライアントソフトウェアを含む。不図示。）、及び電子コンテンツ生成プログラム１７を記憶している。
【００３１】
電子コンテンツ生成プログラム１７は、上述のとおりネットワークを介する等して受信した実紙面イメージデータから画像情報、属性情報を取り込み、画像情報に対して画像圧縮処理を行い、１つの紙面に対して解像度の異なる２以上の画像データを生成し、属性情報を付与して電子コンテンツを生成するとともに、当該画像データ及び属性情報の位置指定子、表示位置等が記載されたＸＭＬデータを生成するためのプログラムである。
【００３２】
電子コンテンツ生成プログラム１７は、そのプログラムモジュールとして、画像・属性取込モジュール１８，画像圧縮サブモジュール２０を含む画像データ生成モジュール１９，属性情報付与モジュール２１，及びＸＭＬデータ生成モジュール２２を含む。これらプログラムモジュールは一時記憶装置１２上にロードされて中央制御部１１によって実行されることにより、電子コンテンツ生成装置３が備える各種の手段を構成するものであり、画像・属性取込モジュール１８は画像・属性取込手段（不図示。以下、参照番号１８を使用する。）を、画像データ生成モジュール１９は画像データ生成手段（不図示。以下、参照番号１９を使用する。）を、画像圧縮サブモジュール２０は画像圧縮手段（不図示。以下、参照番号２０を使用する。）を、属性情報付与モジュール２１は属性情報付与手段（不図示。以下、参照番号２１を使用する。）を、ＸＭＬデータ生成モジュール２２はＸＭＬデータ生成手段（不図示。以下、参照番号２２を使用する。）を、それぞれ構成する。
【００３３】
画像・属性取込手段１８は、ネットワーク等を介して受信された実紙面イメージデータを一時記憶装置１２上に展開し、必要であれば記憶装置１６に記憶し、さらに当該イメージデータから画像情報、属性情報を取り込む手段である。
【００３４】
画像データ生成手段１９は、取り込んだ画像情報に対して画像圧縮手段２０による画像圧縮処理を行い、１つの紙面に対して解像度の異なる２以上の画像データを生成する手段である。
【００３５】
属性情報付与手段２１は、画像データ生成手段１９により生成された画像データに対して属性情報を付与する手段である。新聞の実紙面イメージデータを圧縮して画像データを生成する場合、属性情報とは、当該新聞の発行日、及び紙面名や、当該画像データに対応する紙面ページ、当該画像データの紙面全体に対する表示位置、表示範囲の相対座標データ、解像度の大小を表す階層番号等である。ここにおいて、属性情報の「付与」とは、上記画像データ生成手段１９により生成された画像データと共に、属性情報を（属性情報は、ネットワーク等を介して実紙面イメージデータと共に取り込まれてもよいし、あるいは、入力装置１４を用いることにより、個別の画像に対して操作者が入力してもよい。）一時記憶装置１２上に保持、又は記憶装置１６に記憶することにより、画像データと属性情報とを含むデータとしての電子コンテンツを生成することを意味する（生成された電子コンテンツは、電子コンテンツ配信サーバ３へと送信されて、電子コンテンツデータベース６に記憶される。図４、及び後述の説明を参照。）。
【００３６】
ＸＭＬデータ生成手段２２は、電子コンテンツとして電子コンテンツデータベース６に記憶された画像データ、及び属性情報を指定した位置指定子（ＵＲＬ：Ｕｎｉｆｏｒｍ  Ｒｅｓｏｕｒｃｅ  Ｌｏｃａｔｏｒ等）や、画像データの表示位置を決める相対座標、画像データの解像度に関する階層番号等が記載されたＸＭＬ（ｅＸｔｅｎｓｉｂｌｅ  Ｍａｒｋｕｐ  Ｌａｎｇｕａｇｅ）データを自動生成するための手段である。ＸＭＬデータは、Ｐｅｒｌスクリプト等を用いたＣＧＩ（Ｃｏｍｍｏｎ  Ｇａｔｅｗａｙ  Ｉｎｔｅｒｆａｃｅ）プログラムによって自動生成することが可能であり、典型的にはそのようなＸＭＬ自動生成モジュールによってＸＭＬデータ生成手段２２が構成される。なお、紙面名や紙面ページ等、テキスト情報として属性情報が与えられる場合には、当該属性情報をＸＭＬデータ自体にタグとして記載することが可能である。この場合、電子コンテンツデータベース６には画像データのみを記憶することとしてもよい。
【００３７】
これら手段による具体的処理については、別途詳細に説明する。
【００３８】
記憶装置１６はさらに、データ要素として実紙面イメージデータ２３を記憶している。実紙面イメージデータ２３は、本実施例においてはネットワーク等を介して受信された新聞、雑誌等の実紙面イメージデータであり、一時記憶装置１２上に適宜ロードされて、画像圧縮手段２０による圧縮処理に用いられる（ただし、実紙面イメージデータ２３の記憶位置として記憶装置１６を用いず、受信した実紙面イメージデータを一時記憶装置１２上に保持しつつ圧縮処理を行ってもよい。）。
【００３９】
電子コンテンツ配信サーバ３
電子コンテンツ配信サーバ３は、ＦＴＰサーバ４，電子コンテンツサーバ５，電子コンテンツデータベース６，及びＷｅｂサーバ７から構成される。なお、本実施例において電子コンテンツデータベース６は電子コンテンツサーバ５の記憶装置２９に電子コンテンツを記憶させることにより構成されるものとするが、電子コンテンツサーバ５とは別個の記憶装置内に電子コンテンツデータベース６を設けてもよい。また、ＦＴＰサーバ４，電子コンテンツサーバ５，及びＷｅｂサーバ７の機能を同一の汎用コンピュータ等に実装してもよいし、これらの機能を任意の数の汎用コンピュータ等に分散させてもよい。この点については、本発明の情報表示面イメージ表示システム１を構成する、その他の装置（及び、上述の電子コンテンツ生成装置２）においても同様である。
【００４０】
ＦＴＰサーバ４
ＦＴＰサーバ４は、電子コンテンツ生成装置３から電子コンテンツサーバ５へと電子コンテンツを転送するためのサーバ装置である。ＦＴＰサーバ４は、市販又は無料配布されているＦＴＰサーバソフトウェアを汎用コンピュータ等にインストールすることで容易に構築可能であるため、ここでは詳細な説明を省略する。
【００４１】
電子コンテンツサーバ５
電子コンテンツサーバ５は、電子コンテンツ生成装置２から受信した電子コンテンツを電子コンテンツデータベース６に記憶させたり、情報表示面イメージ表示装置９からの要求に応じて電子コンテンツデータベース６から電子コンテンツを読み出したりするためのサーバ装置である。図３に示されるとおり、電子コンテンツサーバ５は、中央制御部２４，一時記憶装置２５，表示装置２６，入力装置２７，ネットワークＩ／Ｆ部２８，及び記憶装置２９を備える。これらのハードウェア構成は電子コンテンツ生成装置２と同様に汎用コンピュータを用いて実現可能であるため、ここでは説明を省略する。
【００４２】
電子コンテンツサーバ５の記憶装置２９には、プログラム要素として、上述の基本プログラム（不図示）、及び電子コンテンツデータベース管理プログラム３０が記憶されており、さらにデータ要素として、電子コンテンツデータベース６が記憶されている。
【００４３】
電子コンテンツデータベース管理プログラム３０は、上述のとおり受信した電子コンテンツを電子コンテンツデータベース６に記憶させたり、要求に応じて電子コンテンツデータベース６から電子コンテンツを読み出したり、その他にも、データの追加、検索、更新処理等、電子コンテンツデータベース６の管理全般を行うためのプログラムである。電子コンテンツデータベース６には、電子コンテンツ生成装置３が生成した画像データ、及び属性情報を含む電子コンテンツが記憶される。
【００４４】
なお、上述のとおり、電子コンテンツに含まれる画像データ、及び属性情報の位置を直接ＵＲＬ等で指定してＸＭＬデータにタグとして記載するならば、画像データと属性情報は各々ＵＲＬ等を用いて取得可能であるため、電子コンテンツが特定のデータ構造（例えば、リレーショナルデータベースにおけるテーブル構造）を形成している必要はない。しかしながら、各々の画像データ、属性情報の位置を個別に指定するＵＲＬではなく、電子コンテンツの一意な識別子をタグとしてＸＭＬデータに記述し、当該識別子に関連付けられた画像データ、及び属性情報をＳＱＬ問合せ等で抽出する、という態様で、配信すべき電子コンテンツを電子コンテンツデータベース６から読み出すことも可能である。この場合であっても、市販又は無料配布されているデータベース管理システム（ＤＢＭＳ：Ｄａｔａ  Ｂａｓｅ  Ｍａｎａｇｅｍｅｎｔ  Ｓｙｓｔｅｍ）製品を汎用コンピュータ等に導入し、電子コンテンツ生成装置２との間で行うべきデータ入出力やＷｅｂサーバ７との間で確立される通信セッションの処理を適宜プログラミングすることにより、電子コンテンツデータベース管理プログラム３０，及び電子コンテンツデータベース６のデータ構造を構築することが可能である。中央制御部２４が電子コンテンツデータベース管理プログラム３０を実行し、電子コンテンツデータベース６に電子コンテンツを記憶等させることにより、電子コンテンツ記憶手段が構成される。
【００４５】
電子コンテンツデータベース６
電子コンテンツデータベース６には、同一の情報表示面イメージに対応する、解像度の異なる２以上の画像データ３２と、当該画像データ３２に付随する属性情報３３とが、必要に応じて互いに関連付けられた上で電子コンテンツ３１として記憶される。画像データ３２と属性情報３３との関連付け、すなわち電子コンテンツデータベース６の具体的なデータ構造は任意である（ＸＭＬデータ内のタグによりＵＲＬ等でそれぞれの位置を指定するならば、関連付け自体が不要である。）。一例においては、実紙面イメージデータ２３の各々に対して一意な実紙面イメージＩＤが与えられ（後述の実施例において、情報表示面イメージは、電子コンテンツＩＤ，ページ番号，及び階層番号の情報項目値の組により一意に特定される。このとき、実紙面イメージＩＤは、当該３つの情報項目値の組として一意に決定される。）、画像データ３２，属性情報３３もこの実紙面イメージＩＤによって検索可能となるよう、データ構造が定義される。電子コンテンツデータベース６を構築する際、上記実紙面イメージＩＤ等、任意のデータ項目についての索引（インデックス）構造を作成すれば、索引情報を用いて電子コンテンツデータベース６へ高速でアクセスすることが可能となる。
【００４６】
Ｗｅｂサーバ７
Ｗｅｂサーバ７は、電子コンテンツの要求を、情報表示面イメージ表示装置９からネットワーク８−２を介して受信し、当該要求に応答して、電子コンテンツに含まれる画像データ及び属性情報の位置指定子、表示位置等が記載された上述のＸＭＬデータを情報表示面イメージ表示装置９に送信するとともに、情報表示面イメージ表示装置９から当該ＸＭＬデータの処理後に送信される、画像データ及び属性情報の要求を受信し、当該要求に応答して、電子コンテンツデータベース６から画像データ及び属性情報を読み出し（典型的には、Ｗｅｂサーバ７からの命令を受けた電子コンテンツサーバ５が電子コンテンツデータベース管理プログラム３０を実行してそれら画像データ、属性情報を読み出し、Ｗｅｂサーバ７へと送信する。）、電子コンテンツ３１として情報表示面イメージ表示装置９へと送信するためのサーバ装置である。図５に示されるとおり、Ｗｅｂサーバ７は、中央制御部３４，一時記憶装置３５，表示装置３６，入力装置３７，ネットワークＩ／Ｆ部３８，及び記憶装置３９を備える。これらのハードウェア構成は電子コンテンツ生成装置３等と同様に汎用コンピュータを用いて実現可能であるため、ここでは説明を省略する。
【００４７】
Ｗｅｂサーバ７の記憶装置３９には、プログラム要素として、上述の基本プログラム（不図示）、及び電子コンテンツ配信プログラム４０が記憶されており、さらにデータ要素として、上記ＸＭＬデータ生成手段２２が生成したＸＭＬデータ４１が記憶されている。
【００４８】
電子コンテンツ配信プログラム４０は、上述のとおり情報表示面イメージ表示装置９からの要求に応答してＸＭＬデータ４１や電子コンテンツ３１を配信するためのプログラムであり、当該電子コンテンツ配信プログラム４０が一時記憶装置３５上にロードされて中央制御部３４によって実行されることにより、電子コンテンツ配信手段（不図示。以下、参照番号４０を使用する。）を構成する。一例として、ＸＭＬデータ４１や電子コンテンツ３１は、ＨＴＴＰ（Ｈｙｐｅｒ  Ｔｅｘｔ  Ｔｒａｎｓｆｅｒ  Ｐｒｏｔｏｃｏｌ）又はＨＴＴＰＳ（ＨＴＴＰ  ｏｖｅｒ  Ｓｅｃｕｒｅ  Ｓｏｃｋｅｔ  Ｌａｙｅｒ）を用いて配信される。電子コンテンツ配信プログラム４０は、市販の、又は無料配布されているＷｅｂサーバソフトウェアを汎用コンピュータ等に導入し、情報表示面イメージ表示装置９からの要求の処理や、必要であれば電子コンテンツデータベース６へのＳＱＬによる問い合わせ処理等を適宜プログラミングすることにより実装可能である。
【００４９】
情報表示面イメージ表示装置９
情報表示面イメージ表示装置９は、上記ＸＭＬデータ４１や電子コンテンツ３１を受信し、電子コンテンツ３１に含まれる画像データ３２や属性情報３３を用いて情報表示面イメージを表示するための装置である。さらに、本発明の情報表示面イメージ表示装置９は、情報表示面イメージの情報表示面内、各区域について表示記録をとり、表示記録情報を生成して情報表示面イメージ表示記録情報処理装置１０に送信する。図６に示されるとおり、情報表示面イメージ表示装置９は、中央制御部４２，一時記憶装置４３，表示装置４４，入力装置４５，ネットワークＩ／Ｆ部４６，及び記憶装置４７を備える。これらのハードウェア構成は電子コンテンツ生成装置３等と同様に汎用コンピュータ等（典型的には、同様の構成を備えたパーソナルコンピュータやスマートフォンである。）を用いて実現可能であるため、ここでは説明を省略する。
【００５０】
情報表示面イメージ表示装置９の記憶装置４７には、プログラム要素として、上述の基本プログラム（不図示）、及び電子コンテンツ処理プログラム４８が記憶されている。またデータ要素としてはユーザ情報５６が記憶されており、さらに、電子コンテンツ処理プログラム４８を実行して情報表示面イメージを表示するに伴い、情報表示面イメージ表示記録情報５７が記憶される（これらデータ要素は、一時記憶装置４３上で保持されていてもよい。）。
【００５１】
電子コンテンツ処理プログラム４８は、ＸＭＬデータ４１や電子コンテンツ３１を受信して情報表示面イメージを表示し、さらに当該表示の表示記録を生成し、表示記録情報として情報表示面イメージ表示記録情報処理装置１０に送信するためのプログラムである。
【００５２】
電子コンテンツ処理プログラム４８は、そのプログラムモジュールとして、電子コンテンツ受信モジュール４９，情報表示面イメージ表示条件入力モジュール５０，情報表示面イメージ表示モジュール５１，所属区域判断モジュール５２，所属時間決定モジュール５３，情報表示面イメージ表示記録情報生成モジュール５４，及び情報表示面イメージ表示記録情報送信モジュール５５を含む。これらプログラムモジュールは一時記憶装置４３上にロードされて中央制御部４２によって実行され、必要に応じて表示装置４４や入力装置４５、ネットワークＩ／Ｆ部４６を動作させることにより、情報表示面イメージ表示装置９が備える各種の手段を構成するものである。電子コンテンツ受信モジュール４９は電子コンテンツ受信手段（不図示。以下、参照番号４９を使用する。）を、情報表示面イメージ表示条件入力モジュール５０は情報表示面イメージ表示条件入力手段（不図示。以下、参照番号５０を使用する。）を、情報表示面イメージ表示モジュール５１は情報表示面イメージ表示手段（不図示。以下、参照番号５１を使用する。）を、所属区域判断モジュール５２は所属区域判断手段（不図示。以下、参照番号５２を使用する。）を、所属時間決定モジュール５３は所属時間決定手段（不図示。以下、参照番号５３を使用する。）を、情報表示面イメージ表示記録情報生成モジュール５４は情報表示面イメージ表示記録情報生成手段（不図示。以下、参照番号５４を使用する。）を、情報表示面イメージ表示記録情報送信モジュール５５は情報表示面イメージ表示記録情報送信手段（不図示。以下、参照番号５５を使用する。）を、それぞれ構成する。
【００５３】
電子コンテンツ受信手段４９は、Ｗｅｂサーバ７へと電子コンテンツの要求を送信してＸＭＬデータ４１を受信し、当該ＸＭＬデータ４１にタグとして記載された位置指定子を用いて、画像データ、及び属性情報の要求を送信し、電子コンテンツデータベース６からＷｅｂサーバ７を介して電子コンテンツ３１を受信する手段である。上記送受信は、ネットワークＩ／Ｆ部４６によるネットワーク８−２を介した通信によって行われ、ＸＭＬデータ４１からの位置指定子の抽出等は、中央制御部４２により行われる。
【００５４】
情報表示面イメージ表示条件入力手段５０は、操作者が入力装置４５を用いて行う、情報表示面イメージの表示条件の入力を受け付ける手段である。図８等に示す、パーソナルコンピュータの表示画面上で表示を行う例について説明すれば、キーボード、マウス等からなる入力装置４５の操作により、操作者は、表示画面（表示装置４４）上に表示される情報表示面イメージについての、表示すべき紙面（ページ）、表示位置、拡大率等の表示条件を入力する。当該表示条件は、一時記憶装置４３に保持された上で、情報表示面イメージ表示手段５１による情報表示面イメージの表示に用いられる。なお、これらの操作は、キーボード、マウス等によらず、表示画面上にタッチパネルを形成するタッチスクリーン等、任意の入力装置４５によるものであってもよい。
【００５５】
情報表示面イメージ表示手段５１は、受信された電子コンテンツ３１に含まれる画像データ３２や属性情報３３を用いて、表示装置４４上に情報表示面イメージを表示する手段である。情報表示面イメージの表示処理については、後に詳しく説明する。なお、情報表示面イメージ表示モジュール５１は、画像データ３２を、付随する属性情報３３により指定された紙面（ページ）等の条件で順序付け等した上で、上記入力装置４５を用いて入力された表示位置、拡大率等の表示条件に従い表示装置４４上に表示するための（電子コンテンツ処理プログラム４８の一部としての）独立プログラムモジュールとして、予め情報表示面イメージ表示装置９にインストールされたものであってもよいし、あるいは、Ｗｅｂブラウザへの拡張機能（アドオン）としてアドビシステムズ社の「Ｆｌａｓｈ  Ｐｌａｙｅｒ」（登録商標）等を情報表示面イメージ表示装置９にインストールし、当該拡張機能を介して情報表示面イメージ表示手段５１が行うべき個々の表示処理（及び、必要であれば、入力装置４５からの各種入力イベントの処理）が実行されるよう、サーバ側、クライアント側各々の処理をプログラミングすることによっても実装可能である。
【００５６】
所属区域判断手段５２は、画像データ３２を用いて表示されている情報表示面イメージの情報表示面内、各区域について、当該情報表示面イメージの表示対象範囲内にて規定される所定の表示範囲に各区域が所属するか否かを判断する手段である。本実施例においては、情報表示面イメージが表示されている情報表示面を複数の区域に分割した上で、典型的には液晶ディスプレイ等、表示装置４４の表示画面内にて規定される所定の表示範囲（通常、操作者は画面の中央付近に注目すると考えられるため、当該表示範囲としては画面中央部に適当な閉領域を規定することが有効であるが、これとは異なる表示範囲を規定してもよい。）に各々の区域が所属するか否かの判断を行う。操作者が入力装置４５を用いて画面のスクロール操作等を行うに伴い、所定の表示範囲内に所属する区域は時々刻々と変わりうるのであるが、所属区域判断手段５２により、各々のタイミング（典型的には、プログラムにより予め定められた時間間隔ごとに訪れる各々の時刻である。）において各区域が当該所定の表示範囲内に所属するか否かが判断される。
【００５７】
所属時間決定手段５３は、各区域が上記所定の表示範囲に所属していた時間を決定する手段である。情報表示面内、各区域の区域ＩＤと、所属時間と、を含む表形式で区域ごとの所属時間を一時記憶装置４３内に保持し、上記所属区域判断手段５２により「所定の表示範囲に所属している」と判断された区域に対して所属時間に一定値（判断の時間間隔に等しい時間値）を加える、等の方法により、各区域について所属時間を決定することができる。
【００５８】
情報表示面イメージ表示記録情報生成手段５４は、上記各区域について決定された所属時間に関する情報を含む情報表示面イメージ表示記録情報、を生成する手段である。一例として、情報表示面イメージ表示記録情報は、電子コンテンツの利用者を特定する情報項目（後述する図１２の例においては、ユーザＩＤ）と、情報表示面イメージを特定する情報項目（図１２の例においては、電子コンテンツＩＤ，ページ番号，階層番号）と、区域ごとの所属時間に関する情報項目（図１２の例においては、区域ＩＤと所属時間）と、を含む形式で与えられる記録情報であってよい。生成された情報表示面イメージ表示記録情報は、記憶装置４７に記憶されるか（図６中、情報表示面イメージ表示記録情報５７を参照。）、又は一時記憶装置４３上に保持されて、後述の情報表示面イメージ表示記録情報送信手段５５により情報表示面イメージ表示記録情報処理装置１０へと送信される。
【００５９】
情報表示面イメージ表示記録情報送信手段５５は、上記情報表示面イメージ表示記録情報５７（一時記憶装置４３上に保持されたものであってもよい。以下においても同様。）を情報表示面イメージ表示記録情報処理装置１０に対して送信する手段である。一例においては、上記所属時間決定手段５３が区域ごとの所属時間を２４時間に亘ってカウントすることにより、各区域についての所属時間を決定し、情報表示面イメージ表示記録情報生成手段５４は、これを用いて上述の各情報項目を含む記録情報を生成する。この場合、情報表示面イメージ表示記録情報送信手段５５が、当該生成された記録情報を、１日１回、所定の時刻にネットワークＩ／Ｆ部４６から情報表示面イメージ表示記録情報処理装置１０に対して送信する、等の方法によって、バックグラウンドで送信処理が行われる。
【００６０】
情報表示面イメージ表示記録情報処理装置１０
情報表示面イメージ表示記録情報処理装置１０は、上記情報表示面イメージ表示記録情報５７を受信し、情報表示面イメージの情報表示面内、各区域について決定された所属時間に対応する表示を、当該各区域に対応付けて表示するための装置である。図７に示されるとおり、情報表示面イメージ表示記録情報処理装置１０は、中央制御部５８，一時記憶装置５９，表示装置６０，入力装置６１，ネットワークＩ／Ｆ部６２，及び記憶装置６３を備える。これらのハードウェア構成は電子コンテンツ生成装置３等と同様に汎用コンピュータ等を用いて実現可能であるため、ここでは説明を省略する。
【００６１】
情報表示面イメージ表示記録情報処理装置１０の記憶装置６３には、プログラム要素として、上述の基本プログラム（不図示）、及び情報表示面表示記録情報処理プログラム６４が記憶されている。
【００６２】
情報表示面イメージ表示記録情報処理プログラム６４は、情報表示面イメージ表示記録情報５７の受信、及び、所属時間に対応する上記表示の表示処理を行うためのプログラムであり、そのプログラムモジュールとして、情報表示面イメージ表示記録情報受信モジュール６５，情報表示面イメージ表示記録情報表示条件入力モジュール６６，及び情報表示面イメージ表示記録情報表示モジュール６７を含む。これらプログラムモジュールは一時記憶装置５９上にロードされて中央制御部５８によって実行され、必要に応じて表示装置６０や入力装置６１，ネットワークＩ／Ｆ部６２を動作させることにより、情報表示面イメージ表示記録情報処理装置１０が備える各種の手段を構成するものである。情報表示面イメージ表示記録情報受信モジュール６５は情報表示面イメージ表示記録情報受信手段（不図示。以下、参照番号６５を使用する。）を、情報表示面イメージ表示記録情報表示条件入力モジュール６６は情報表示面イメージ表示記録情報表示条件入力手段（不図示。以下、参照番号６６を使用する。）を、情報表示面イメージ表示記録情報表示モジュール６７は情報表示面イメージ表示記録情報表示手段（不図示。以下、参照番号６７を使用する。）を、それぞれ構成する。
【００６３】
情報表示面イメージ表示記録情報受信手段６５は、ネットワークＩ／Ｆ部６２を用いて、ネットワーク８−２を介した通信により情報表示面イメージ表示記録情報５７を受信する手段である。例えば、情報表示面イメージ表示装置９からＷｅｂサーバ７へとアップロードされた情報表示面イメージ表示記録情報５７を情報表示面イメージ表示記録情報処理装置１０へとダウンロードすることによって、上記受信処理を行うことが可能である。受信した情報表示面イメージ表示記録情報５７は、情報表示面イメージ表示記録情報表示手段６７による後述の表示処理に用いるべく、典型的には一時記憶装置５９上に保持されるか、又は記憶装置６３にデータ要素として記憶される（不図示）。
【００６４】
情報表示面イメージ表示記録情報表示条件入力手段６６は、操作者が入力装置６１を用いて行う、情報表示面イメージ表示記録情報の表示条件の入力を受け付ける手段である。情報表示面イメージ表示装置９と同様に、パーソナルコンピュータの表示画面上で記録情報の表示を行う例について説明すれば、キーボード、マウス等からなる入力装置６１の操作により、操作者は、表示画面（表示装置６０）上に表示される情報表示面イメージ表示記録情報の表示についての表示条件（典型的には、対象とする情報表示面イメージを特定する情報。その他、特定のユーザに関する表示記録情報のみを対象とする場合には、当該対象とするユーザを特定する情報等）を入力する。当該表示条件は、一時記憶装置５９に保持された上で、情報表示面イメージ表示記録情報表示手段６７による表示処理に用いられる。なお、これらの操作は、キーボード、マウス等によらず、表示画面上にタッチパネルを形成するタッチスクリーン等、任意の入力装置６１によるものであってもよい。また、操作者により入力された表示条件に従い、表示に用いるべき情報表示面イメージ表示記録情報を選択等することは、本発明にとって必須ではない。すなわち、情報表示面イメージ表示記録情報表示条件入力手段６６は必須の構成要素ではない。
【００６５】
情報表示面イメージ表示記録情報表示手段６７は、受信した情報表示面イメージ表示記録情報５７に含まれる、情報表示面イメージの情報表示面内、各区域について決定された所属時間に対応する表示を、当該各区域に対応付けて表示する手段である。一例として、上述の各情報項目を含む情報として与えられる記録情報を受信した場合には、情報表示面を各区域に分割し、各々の区域を、当該区域について決定された所属時間値の大きさに対応付けられた色で着色してなるイメージ（ヒートマップイメージ）として、所属時間に対応する上記表示を行うことができる。
【００６６】
次に、電子コンテンツ生成装置２を用いて行われる電子コンテンツ、及び対応するＸＭＬデータの生成処理、及び、情報表示面イメージ表示システム１による、電子コンテンツの配信、情報表示面イメージの表示、情報表示面イメージ表示記録情報の表示等の動作を説明する。
【００６７】
電子コンテンツ及びＸＭＬデータの生成
既に述べたとおり、本実施例において電子コンテンツは、新聞、雑誌等の実紙面イメージデータから画像情報、属性情報を取り込み、画像情報に対して画像圧縮処理等を行うことにより生成される。
【００６８】
まず、電子コンテンツ生成装置２は、新聞社、出版社の編集用のコンピュータから、ネットワークを介する等して、ネットワークＩ／Ｆ部１５によって実紙面イメージデータを紙面（ページ）毎に受信する。実紙面イメージデータの画像形式は、ＢＭＰ（Ｂｉｔ  Ｍａｐ），ＰＤＦ（Ｐｏｒｔａｂｌｅ  Ｄｏｃｕｍｅｎｔ  Ｆｏｒｍａｔ）、ＪＢＩＧ（Ｊｏｉｎｔ  Ｂｉ−ｌｅｖｅｌ  Ｉｍａｇｅ  Ｅｘｐｅｒｔｓ  Ｇｒｏｕｐ）、ＪＰＥＧ（Ｊｏｉｎｔ  Ｐｈｏｔｏｇｒａｐｈｉｃ  Ｅｘｐｅｒｔｓ  Ｇｒｏｕｐ）等、任意の形式であってよい。
【００６９】
次に、画像・属性取込手段１８は、受信した実紙面イメージデータを必要に応じて復号等して、一時記憶装置１２上に展開した上で、当該イメージデータから画像情報と属性情報とを紙面（ページ）毎に取り込む。実紙面イメージデータは、上記のとおり任意の形式の画像データとして与えられるが、当該画像中には、発行日、紙面名、紙面ページ等の属性情報が含まれており、これら属性情報を、例えば画像・属性取込モジュール１８の一部として含まれるＯＣＲ（Ｏｐｔｉｃａｌ  Ｃｈａｒａｃｔｅｒ  Ｒｅａｄｅｒ）処理プログラムを実行することによって取り込む。新聞紙面等、予め形式の規定された紙面のイメージを処理するならば、指定された位置に対してＯＣＲ処理を行うことにより各属性情報を取り込むことができるし、あるいは、操作者が入力装置１４を介して指定した領域からテキスト情報を読み取る等してもよい。
【００７０】
また、画像データ生成手段１９は、画像圧縮手段２０により、実紙面イメージデータから圧縮形式の画像データを生成する。ここにおいては１つの実紙面イメージデータから解像度の異なる２以上の画像データを生成する。すなわち、同一の紙面（ページ）を表す画像データとして、解像度の異なる２以上の画像データが生成される。具体的には、画像データ生成モジュール１９に含まれる画像圧縮サブルーチン（画像圧縮サブモジュール２０）を、同じく画像データ生成モジュール１９に含まれ、当該圧縮サブルーチンの動作を制御する制御プログラムモジュール（不図示）の制御下で実行することにより、解像度の異なる複数の画像データ生成が自動で行われる。
【００７１】
画像圧縮の具体的アルゴリズムは任意であるが、一例としては、圧縮すべき画像を８×８等の画素ブロックに分割した上で、各ブロックに離散コサイン変換（ＤＣＴ：Ｄｉｓｃｒｅｔｅ  Ｃｏｓｉｎｅ  Ｔｒａｎｓｆｏｒｍ）を施し、量子化によって情報量を落とした上で、ハフマン符号によりエントロピー符号化することにより、ＪＰＥＧ形式の圧縮符合化画像データを生成することが可能である。
【００７２】
生成された複数の画像データは階層構造を形成する。一例において、第１階層の画像データとは、１つの紙面（ページ）全体を表す１つの画像ファイルとして構成される、画像データであり、第２階層の画像データとは、紙面全体を４分割して得られる各々の領域を表す４つの画像ファイルとして構成される、画像データであり、第３階層の画像データとは、紙面（ページ）全体を１６分割して得られる各々の領域を表す１６の画像ファイルとして構成される、画像データである。階層の数は任意であり、紙面（ページ）全体を更に細かく分割して階層を増やしても構わない。異なる階層の各画像ファイル中の画素数を同一にするならば、第１階層から第２，第３階層へと向かうに従い実紙面イメージに対する解像度は上昇する。
【００７３】
さらに、属性情報付与手段２１は、既に述べたとおり、（各々の紙面又はページについて）１つの実紙面イメージから生成された解像度の異なる２以上の画像データと、上記ＯＣＲ処理等により取り込まれた属性情報と、を含むデータとしての電子コンテンツを生成する。当該電子コンテンツ３１は、ネットワークＩ／Ｆ部１５を介して電子コンテンツ配信サーバ３へと送信され、電子コンテンツデータベース６に記憶される。
【００７４】
また、ＸＭＬデータ生成手段２２は、上記複数の画像データ、及び属性情報を指定した位置指定子（画像データが複数の画像ファイルとして構成される場合、当該画像データの位置は、典型的には画像ファイルと同数の位置指定子により指定される。）を記載し、さらに、属性情報のうち、例えば画像データの表示位置を決める相対座標、画像データの解像度に関する階層番号等を、タグとして直接記載してなるＸＭＬデータを自動生成する。
【００７５】
ＸＭＬデータのファイルには、
＜要素名＝“要素値”＞
や、
＜要素名＞
＜属性名１＝“属性値１”＞
＜属性名２＝“属性値２”＞
＜／要素名＞
等の形式で、任意の要素名、属性名を含むタグを複数記述することが可能であり、各々の画像データ（要素）ごとに、位置指定子、相対座標、階層番号等の属性を規定する等して、電子コンテンツ処理プログラム４８のプログラム設計に対応した要素、属性名、階層構造等に従い、自動的にＸＭＬデータが作成される。電子コンテンツ生成プログラム１７に含まれる、上記制御プログラムモジュールの制御により、ＸＭＬデータはネットワークＩ／Ｆ部１５を介してＷｅｂサーバ７へと送信され、その記憶装置３９に記憶される。
【００７６】
以上のとおり、電子コンテンツ生成装置２を用いて生成された電子コンテンツ、及びＸＭＬデータは、それぞれ電子コンテンツデータベース６、及びＷｅｂサーバ７の記憶装置３９に記憶される。次に、情報表示面イメージ表示システム１による、電子コンテンツの配信、情報表示面イメージの表示、情報表示面イメージ表示記録情報の表示等の動作を説明する。
【００７７】
電子コンテンツの配信
Ｗｅｂサーバ７は、情報表示面イメージ表示装置９から電子コンテンツ受信手段４９によって送信された電子コンテンツの要求を、ネットワーク８−２を介して受信し、これに応答して、まずは電子コンテンツ配信手段４０により当該表示装置９に対してＸＭＬデータ４１を送信する。
【００７８】
次に、情報表示面イメージ表示装置９の電子コンテンツ受信手段４９は、受信したＸＭＬデータを処理して、取得すべき画像データ、属性情報の位置指定子等を抽出し、これを用いて当該画像データ、属性情報の要求をＷｅｂサーバ７に送信する。
【００７９】
上記要求に応答して、Ｗｅｂサーバ７の電子コンテンツ配信手段４０は、上記要求に含まれる位置指定子を用いて電子コンテンツサーバ５の記憶装置２９内、電子コンテンツデータベース６にアクセスし、電子コンテンツデータベース管理手段３０を介して目的の画像データ、属性情報を読み出す。読み出された電子コンテンツは、ネットワーク８−２を介して情報表示面イメージ表示装置９へと送信される。なお、既に述べたとおり、属性情報がＸＭＬデータ自体にタグとして記載されている場合には、Ｗｅｂサーバ７に対して属性情報の要求を送信することは不要であり、属性情報は当該ＸＭＬデータ自体から取得すればよい。
【００８０】
情報表示面イメージの表示
情報表示面イメージ表示装置９の情報表示面イメージ表示手段５１は、上述のとおりＪＰＥＧ等の形式で圧縮符号化されている画像データを復号化し、表示装置４４の表示画面に表示できるよう、一時記憶装置４３上に展開した上で、展開された画像データから情報表示面イメージを構成し、操作に応じた画像を表示画面に表示する。
【００８１】
本実施例において、情報表示面イメージは、ＸＭＬデータから属性情報として取得された情報表示面内の相対的表示位置に従って各画像を配置することにより構成されるものとする。上記第１階層において、１つの紙面（ページ）を表す情報表示面イメージは１つの画像ファイルから構成されるが、第２階層においては４つの画像ファイルを用いて、それらが表す４つの画像を各々の相対的表示位置に従って配置することにより当該情報表示面イメージが構成されるのであり、また第３階層においては、１６の画像ファイルを用いて、それらが表す１６の画像を各々の相対的表示位置に従って配置することにより当該情報表示面イメージが構成される。より具体的には、例えば４ページ目の情報表示面イメージを第３階層において作成するためには、属性情報としてのページ数が「４」であり、階層番号が「３」である１６の画像ファイルを（これらは、ＸＭＬデータ内にタグとして記載された１６の位置指定子を用いて行われた、電子コンテンツ受信手段４９による要求に応答して、電子コンテンツ配信サーバ３から配信されている。）一時記憶装置４３から読み出し、それら画像ファイルの表す画像を、各画像ファイルに対して属性情報として与えられている相対的表示位置に従って配置することにより、目的の情報表示面イメージを構成することができる。
【００８２】
第１，第２，第３と階層が高くなるに従い情報表示面イメージ全体としての画素数も多くなるため、情報表示面イメージ表示装置９の表示装置４４の画面解像度によってはイメージ全体を表示できないことがある。このとき、画面には情報表示面イメージの一部分のみが表示される。
【００８３】
図８に、情報表示面イメージ表示装置９としてパーソナルコンピュータを用い、Ｗｅｂブラウザによって雑誌の実紙面イメージとして情報表示面イメージを表示したときの画面イメージを示す。
【００８４】
Ｗｅｂブラウザの表示領域は、情報表示部６８と、イメージ表示部６９と、インターフェース部７０と、に分けられる。情報表示部６８には、属性情報として取得された電子コンテンツのタイトル７１が表示され、イメージ表示部６９には情報表示面イメージの全体又は一部分が表示され、インターフェース部７０には、操作者が表示条件を入力するための各種ボタン等が表示される。インターフェース部７０中、ページ数表示部８１には、属性情報として取得されたページ数が表示されている。操作者は、表示条件入力用のボタン７４〜７９を押下（目的のボタンにマウスカーソルを合わせてクリックすることをいう。以下においても同様。）したり、希望のページ数をページ数表示部８１に入力した上でボタン８０を押下したりすることにより、情報表示面イメージの表示条件を情報表示面イメージ表示条件入力手段５０に入力する。
【００８５】
ボタン７４は表示倍率を選択するためのボタンである。操作者はこれを押下し、表示されるプルダウンメニュー７３から希望の倍率を選択することにより、情報表示面イメージを拡大又は縮小して希望の倍率で表示させることができる。一例において、表示倍率が「１００％」と選択されたときは、情報表示面イメージ表示手段５１により、上記第１階層の情報表示面イメージが選択及び表示され、表示倍率が「２００％」と選択されたときは、上記第２階層の情報表示面イメージが選択及び表示され、表示倍率が「４００％」と選択されたときは、上記第３階層の情報表示面イメージが選択及び表示される。なお、プルダウンメニュー７３において「自動調整」が選択されたときは、情報表示面イメージ表示手段５１により、イメージ表示部６９に情報表示面イメージ全体が表示されるよう適切な倍率が選択され、画像の補間、間引き処理によって適切なサイズに調整された情報表示面イメージが表示される。倍率の選択は、ボタン７５（拡大），７６（縮小）を押下することによっても可能である。
【００８６】
ボタン７７，７８はページ送りを行うためのボタンである。操作者がボタン７７を押下することにより、１つ前のページの情報表示面イメージを表示させ、ボタン７８を押下することにより、１つ後のページの情報表示面イメージを表示させることができる。図８の例においては第２ページの情報表示面イメージが表示されているが、この状態において操作者がボタン７８を押下すれば、情報表示面イメージ表示手段５１により第３ページの情報表示面イメージが新たに生成され、イメージ表示部６９に表示される。また、ボタン７９は、見開き表示の有無を選択するためのボタンである。図８のように表示されている状態で操作者がボタン７９を押下すれば、情報表示面イメージ表示手段５１は、属性情報としてのページ数が「３」である画像から新たに情報表示面イメージを生成した上で、第２ページのイメージと第３ページのイメージとを並列させて見開きイメージを生成し、イメージ表示部６９に表示する（図９）。見開き表示がされている状態でボタン７９を押下すれば、図８に示される単独のページのイメージが再び表示される。また、操作者は、ページ数表示部８１に表示を希望するページのページ数を直接入力した上でボタン８０を押下することにより、目的のページの情報表示面イメージを表示させることができる。さらに操作者は、イメージ表示部６９内に表示されている情報表示面イメージ７２内の任意の位置にマウスカーソルを合わせて任意の方向にドラッグすることにより、イメージ表示部６９内で情報表示面イメージ７２を移動させることができる。操作者による上記ドラッグ動作は、表示条件入力イベントとして情報表示面イメージ表示条件入力手段５０によって受け付けられ、情報表示面イメージ表示手段５１は情報表示面イメージ７２の表示位置を変更する。表示倍率が大きく、情報表示面イメージ７２の全体が表示不可能であるときは、このように表示位置を選択することにより、目的の記事、画像等を表示させることができる。
【００８７】
以上説明した各種の表示条件、及び表示条件入力のためのインターフェースは単なる一例に過ぎない。情報表示面イメージ表示装置９として、マウスを備えていない携帯端末等を採用する場合には、上記のとおり表示領域内にイメージとして表示されるボタンではなく、ハードウェアとして表示装置９に備えられたボタンを介して表示条件を入力することが適切な場合もあるし、情報表示面イメージ表示装置９がタッチスクリーンを備えている場合には、画面内に一切ボタンを表示せず、タッチスクリーンにより検出される各種の入力イベント（タップ、フリック、ピンチイイン、ピンチアウト等）に、上述の表示条件変更命令を割り当ててもよい。
【００８８】
情報表示面イメージ表示記録情報の生成
次に、上述のとおり情報表示面イメージを表示している間に、典型的にはバックグランドで行われる、情報表示面イメージ表示記録情報の生成処理を説明する。
【００８９】
（区域）
本実施例においては、情報表示面を任意の数の区域に分割した上で、各区域について表示時間の計測等を行い、記録情報を生成する。図１０に、区域への分割の一例を示す。情報表示面イメージ７２の表示面は、当該表示面を水平方向に１４等分し、垂直方向に２０等分する直線群により、区域８２を初めとする２８０の矩形状区域に分割されている。一例においては、電子コンテンツ処理プログラム４８の実行パラメータとして、「１４」，「２０」という各方向への分割数を示すパラメータが予め設定されており（それらパラメータは、例えば情報表示面イメージ表示記録情報処理装置１０からパラメータ変更命令を送信することにより、随時変更可能であってよい。）、これらパラメータに基づいて、情報表示面イメージを構成する各々の画素が２８０の区域のうちいずれに所属するのかを決定することにより、所属区域判断手段５２は情報表示面を２８０の区域に概念的に分割することができる。
【００９０】
（表示対象範囲、及び所定の表示範囲）
本実施例においては、Ｗｅｂブラウザの表示領域中、イメージ表示部６９として与えられる情報表示面イメージの表示対象範囲内に所定の表示範囲を規定し、当該所定の表示範囲に上記各区域が所属するか否かを判断する。所定の表示範囲は、例えば表示対象範囲中、中心部を含む閉領域として規定することができる。図１１に示す所定の表示範囲８３は、その一例である。このような閉領域を規定するパラメータ（図１１に示す矩形状の領域として規定するならば、表示領域におけるその４つの頂点の座標等。）は、電子コンテンツ処理プログラム４８の実行パラメータとして予め設定されていてよく、一例においては、情報表示面イメージ表示記録情報処理装置１０からパラメータ変更命令を送信することにより、随時変更可能である。ただし、所定の表示範囲をどのように規定するかは任意である。一例として、所定の表示範囲とは上記表示対象範囲（イメージ表示部６９）自体であってもよく、その場合には当該表示対象範囲と別個に当該所定の表示範囲を規定することも不要である。
【００９１】
（所属区域の判断）
各区域が上記所定の表示範囲に所属するか否かの判断は、所属区域判断手段５２により、例えば１秒等、一定時間ごとに行うことができる（このような動作タイミングの制御、及びその他の、電子コンテンツ処理プログラム４８に含まれる各モジュールの動作制御は、当該電子コンテンツ処理プログラム４８に含まれる制御プログラムモジュール（不図示）により行われるものとする。）。具体的には、図１０に示される２８０の区域の各々について、
（１）当該区域内の各画素について、Ｗｅｂブラウザの表示領域中、イメージ表示部６９内での座標を決定する。
（２）上記座標と、図１１に示される所定の表示範囲８３とを比較することにより、各画素が当該所定の表示範囲に含まれるかどうかを決定する。
（３）当該区域に含まれる全ての画素のうち、上記所定の表示範囲に含まれると決定された画素の割合が所定の閾値（例えば、７０％）以上であることを条件として、あるいは当該閾値を超えることを条件として、当該区域は上記所定の表示範囲に「所属する」ものと判断し、それ以外の場合には「所属しない」ものと判断する。
という手順により、上記判断を行うことができる。ただし、上記所属するか否かの判断を別の手順により行ってもよい。例えば、各区域の幾何学的中心点に最も近い座標を有する画素が上記所定の表示範囲に含まれるか否かによって、当該区域が当該所定の表示範囲に所属するか否かを判断することとすれば、中央制御部４２による計算量を削減できるし、その他にも、図１０に示されるとおり、各区域が矩形状領域として与えられるならば、当該矩形における４つの頂点の座標と上記所定の表示範囲とを比較することにより、当該所定の表示範囲に含まれる画素の割合を算出することができる。
【００９２】
（所属時間の決定）
さらに、所属時間決定手段５３は、上記各区域が上記所定の表示範囲に所属していた時間を決定する。一例において、ある区域が所定の表示範囲に所属していた「時間」とは、上述のとおり一定時間ごとに行われる所属区域判断手段５２の判断により、当該区域が「所定の表示範囲に所属する」と判断された回数に、当該一定時間を乗じた値として決定される。あるいは、上記「所定の表示範囲に所属する」と判断された回数自体をもって、所属時間とすることも可能である（所属するか否かの判断を行う時間間隔を固定する場合には、このような構成が特に効率的である。）。
【００９３】
なお、本実施例においては、各区域が所定の表示範囲に所属するか否かの上記判断、及び上記所属時間の決定を、特に個別の階層ごとに行うものとする。すなわち、第１階層の情報表示面イメージが表示された状態で、ある区域が所定の表示範囲に所属すると判断された回数と、第２階層の情報表示面イメージが表示された状態で、ある区域が所定の表示範囲に所属すると判断された回数と、第３階層の情報表示面イメージが表示された状態で、ある区域が所定の表示範囲に所属すると判断された回数と、はそれぞれ別個の回数としてカウントされる。解像度の高い第３階層の情報表示面イメージとして当該区域が表示されていた時間は、解像度の低い第１階層の情報表示面イメージとして当該区域が表示されていた時間に比べて「より高い注目度で当該区域が閲覧されていた時間」であると評価することが可能であり、このような構成をとれば、情報表示面イメージの表示記録情報として更に詳細な情報を得ることが可能となる。特に、情報表示面イメージが高解像度で表示しなければ判別不可能な文字等を含む場合は、表示における解像度が所定の閾値以上であるか、当該閾値を超えることを、各区域が所定の表示範囲に所属すると判断するための必要条件とすることが有効である。一例としては、当該区域の画素のうち７０％以上が所定の表示範囲に含まれていたとしても、表示中の情報表示面イメージが特に第１階層のイメージである場合には、当該区域が所定の表示範囲に「所属しない」ものと判断する、よう構成することが可能である。ただし、所属区域の判断、及び所属時間の決定を階層ごとに行うことは必須ではなく、いずれの階層の情報表示面イメージとして表示されていたかを区別せずに、例えば各階層における所属時間の合計時間として、各区域の所属時間を決定してもよい。
【００９４】
（情報表示面イメージ表示記録情報の生成）
情報表示面イメージ表示記録情報生成手段５４は、上述のとおり各区域について決定された所属時間に関する情報を含む情報として、情報表示面イメージ表示記録情報を生成する。一例において、情報表示面イメージ表示記録情報は、図１２に表として示されるとおりの形式で、ユーザＩＤ，電子コンテンツＩＤ，ページ番号，階層番号，区域ＩＤ，所属時間，及びその他の任意の情報項目を含むよう構成される。
【００９５】
上記各情報項目中、ユーザＩＤは、電子コンテンツの利用者としてのユーザを一意に識別する識別子（数字、文字、記号等、あるいはこれらを組み合わせてなるシーケンス）である。一例において、ユーザＩＤはユーザ情報５６の一部として与えられる。ユーザ情報５６は典型的に、電子コンテンツ処理プログラム４８を情報表示面イメージ表示装置９にインストールする際、電子コンテンツ配信サーバ３の内部、又は外部に配置されたユーザ登録サーバ（不図示）に対してユーザ登録（住所、年齢、性別、職業等、電子コンテンツ処理プログラム４８を利用する者の個人情報の送信）を行うことの結果として、ユーザ登録サーバにより生成され、情報表示面イメージ表示装置９へと送信された後、その記憶装置４７に記憶される。
【００９６】
上記各情報項目中、電子コンテンツＩＤは、電子コンテンツとして提供される新聞、雑誌等を一意に識別する識別子である。一例において、電子コンテンツＩＤは、電子コンテンツ配信手段４０により配信された電子コンテンツに含まれる属性情報として与えられるのであり、Ｗｅｂサーバ７から配信されたＸＭＬデータに記載されている位置指定子を用いて電子コンテンツデータベース６から取得するか、あるいは当該ＸＭＬデータ内に記載されたタグから直接取得することができる。
【００９７】
上記各情報項目中、ページ番号は、上述のとおり情報表示面イメージを構成する画像データに属性情報として付与される番号である。ページ番号は、電子コンテンツＩＤと同様に電子コンテンツに含まれる属性情報として、電子コンテンツデータベース６から取得するか、あるいは当該ＸＭＬデータ内に記載されたタグから直接取得することができる。
【００９８】
上記各情報項目中、階層番号は、上述のとおり情報表示面イメージがどの階層に属するかを示す番号である。一例において、階層番号は、電子コンテンツ配信手段４０により配信された電子コンテンツに含まれる属性情報として与えられるのであり、Ｗｅｂサーバ７から配信されたＸＭＬデータに記載されている位置指定子を用いて電子コンテンツデータベース６から取得するか、あるいは当該ＸＭＬデータ内に記載されたタグから直接取得することができる。
【００９９】
上記各情報項目中、区域ＩＤは、上述のとおり情報表示面を分割することで得られる区域を一意に識別する識別子である。上述の例においては、所属区域判断手段５２が情報表示面を実行パラメータ等に基づいて概念的に分割した際に、各区域を識別するための番号（図１０に示す例においては、１〜２８０の整数）として与えられる。
【０１００】
上記各情報項目中、所属時間は、上述のとおり所属時間決定手段５３によって決定される、当該区域が所定の表示範囲に所属していた時間値である。典型的には、情報表示面イメージ表示記録情報が情報表示面イメージ表示記録情報処理装置１０に送信されたタイミングでゼロへと初期化されたのち、所属区域判断手段５２による上記判断において当該区域が「所定の表示範囲に所属する」と判断される度に、当該判断の時間間隔に等しい値を加算するという手順で所属時間値が決定される。
【０１０１】
このような情報表示面イメージ表示記録情報の構成においては、ユーザＩＤ，電子コンテンツＩＤ，ページ番号，階層番号が全て等しいレコードとして、区域ＩＤが１〜２８０のいずれかを１つをとる２８０のレコードが存在しうる。それら各々のレコードの所属時間を、上述の手順により決定される所属時間値とすることにより、情報表示面イメージ表示記録情報が生成される。
【０１０２】
情報表示面イメージ表示記録情報の送信
情報表示面イメージ表示記録情報生成手段５４により生成された情報表示面イメージ表示記録情報は、情報表示面イメージ表示装置９の一時記憶装置４３上に保持されるか、又は記憶装置４７に記憶された上で、例えば一日一回、情報表示面イメージ表示装置９のシステム時刻が所定の時刻となったタイミングで、ネットワーク８−２を介して情報表示面イメージ記録情報処理装置１０へと送信される。この場合、上記情報項目中の所属時間は、一日の間に各々の区域が上記所定の表示範囲に所属していた時間に対応する。ただし、上記送信のタイミングは任意である。例えば、情報表示面イメージ表示装置９とネットワーク８−２との接続が確立されていないオフライン状態においては、各々の日に対応する当該所属時間を個別の情報表示面イメージ表示記録情報レコードとして記憶装置４７に格納しておき、情報表示面イメージ表示装置９とネットワーク８−２との接続が確立されたタイミングで上記レコードを送信する等の態様をとることもできる。
【０１０３】
所定の時刻における、情報表示面イメージ表示記録情報の上記送信処理を行う際には、併せて、対応する情報表示面イメージを構成する画像データを情報表示面イメージ表示記録情報処理装置１０へと送信してもよい。具体的には、送信される情報表示面イメージ表示記録情報の電子コンテンツＩＤ，ページ番号を属性情報として有し、階層番号が１である画像データ（本実施例においては、１つの画像ファイルとして構成される。）を、情報表示面イメージ表示記録情報と共に情報表示面イメージ表示記録情報処理装置１０へ送信してもよい。このような構成をとれば、情報表示面イメージ表示記録情報処理装置１０による後述の記録情報表示処理において、表示対象であった情報表示面イメージ自体を背景画像として用いることが可能となる。ここで、当該画像データには、そのメタデータとして、電子コンテンツＩＤ，ページ番号を付加しておくことが好ましい。これにより、当該画像データにより構成される情報表示面イメージを一意に特定することが可能となる。なお、通信トラフィックを軽減するためには、送信する画像として上記のとおり階層番号が１のものを選択することが好ましいが（さらに、間引き処理によってファイルサイズを小さくすることが有効である。）、これ以外の階層番号の画像データを送信してもよい（本実施例において、例えば階層番号が「２」の画像データを送信する場合、情報表示面イメージ表示記録情報処理装置１０による後の情報表示面イメージの構成処理のためには４つの画像ファイルを送信することが必要となる。さらに、メタデータとして各々の画像ファイルには相対座標を付加することが好ましい。）。また、背景画像として情報表示面イメージを表示しない場合等には、このような画像データの送信は不要である。以下、階層番号が１の上記画像データが情報表示面イメージ表示記録情報と共に送信されるとして、情報表示面イメージ表示記録情報処理装置１０による表示処理を説明する。
【０１０４】
情報表示面イメージ表示記録情報の表示
情報表示面イメージ表示記録情報処理装置１０は、情報表示面イメージ表示記録情報受信手段６５により情報表示面イメージ表示記録情報、及び上記階層番号が１の画像データを受信し、一時記憶装置５９上に保持するか、又は記憶装置６３に記憶する。情報表示面イメージ表示記録情報表示手段６７は、この記録情報、及び画像データを用いて、各区域について決定された上記所属時間に対応する表示を、各区域に対応付けて表示装置６０の表示画面等に表示する。
【０１０５】
以下、情報表示面イメージ表示記録情報は、情報表示面を各区域に分割し、各々の区域を、当該区域について決定された所属時間値の大きさに対応付けられた色で着色してなるイメージ（ヒートマップイメージ）として表示されるものとする。このようなヒートマップイメージは、一例において、図１３のフローチャートに示すステップＳ１３０１〜Ｓ１３０４によって生成することが可能である。
【０１０６】
（ステップＳ１３０１）
まず、情報表示面イメージ表示記録情報表示条件入力手段６６は、対象とする情報表示面イメージを特定する情報（本実施例においては、電子コンテンツＩＤ及びページ番号。ただし、後述のとおり、特定の階層番号のみに対応したヒートマップイメージを生成、表示する場合には、階層番号も含まれる。）、及び対象とするユーザを特定する情報（本実施例においては、ユーザＩＤ）の、操作者による入力を受け付ける。当該入力は、情報表示面イメージ表示記録情報処理プログラム６４を実行することにより表示装置６０の表示画面上に表示されるメニュー画面（不図示）を介する等して行われる。
【０１０７】
（ステップＳ１３０２）
次に、情報表示面イメージ表示記録情報表示手段６７は、ステップＳ１３０１において入力されたものと等しい電子コンテンツＩＤ，ページ番号がメタデータとして付加された、上記階層番号が１の画像データ、から構成される情報表示面イメージの情報表示面を、図１０に示される区域と同様の区域へと概念的に分割する。一例においては、情報表示面イメージ表示記録情報処理プログラム６４の実行パラメータとして、電子コンテンツ処理プログラム４８の実行パラメータと同様に「１４」，「２０」という各方向への分割数を示すパラメータが予め設定されており（それらパラメータは、例えば情報表示面イメージ表示記録情報処理装置１０の入力装置６１を介して操作者が入力すること等により、随時変更可能であってよい。）、これらパラメータに基づいて、情報表示面イメージを構成する上記画像データの各々の画素が２８０の区域のうちいずれに所属するのかを決定することにより、情報表示面を２８０の区域に概念的に分割することができる。
【０１０８】
（ステップＳ１３０３）
次に、情報表示面イメージ表示記録情報表示手段６５は、各々の区域への着色に用いるべき色を決定する。着色カラーモデルとしては、赤、青、緑のそれぞれの色の明度を０〜２５５までの数値として決定し、当該決定された３つの数値の組によって色彩を定義する、ＲＧＢカラーモデルを用いることができる。この場合には、受信された情報表示面イメージ表示記録情報の情報項目のうち、ユーザＩＤ，電子コンテンツＩＤ，ページ番号が、上記ステップＳ１３０１において入力された各々の情報項目に等しく、且つ区域ＩＤの情報項目が当該着色対象の区域の区域ＩＤ値と等しい情報表示面表示記録情報レコードに含まれる、所属時間の情報項目値に応じて「Ｒ」の明度値を決定することにより（「Ｇ」，「Ｂ」の明度値は、所属時間によらず所定値であるとしてよい。）、各区域における所属時間の長さを色で表現することが可能となる（本実施例においては、１つの情報表示面イメージに対応するヒートマップイメージを生成するべく、２８０の区域の各々に対して色の決定が行われる。）。ただし、所属時間に対応する表示において上記カラーモデルを用いることは必須ではなく、黒色の濃淡等、所属時間値の大小に応じて表示内容を調整可能な表示であれば、どのようなものを用いてもよい。
【０１０９】
なお、本実施例の構成においては、情報表示面イメージ表示記録情報の情報項目中、ユーザＩＤ，電子コンテンツＩＤ，ページ番号，区域ＩＤが全て等しいレコードとして、階層番号の項目値が１〜３の各々をとる３つのレコードが存在しうる。したがって、上記「Ｒ」の明度値を決定するに際しては、３つのレコードの各々の所属時間値をどのように組み合わせるか、という任意性が存在する。
【０１１０】
一例においては、階層番号の項目値がｉ（ｉ＝１〜３）である情報表示面イメージ表示記録情報レコードの所属時間値をＴiとして、所属時間スコアを
Ｔ＝ｃ1Ｔ1＋ｃ2Ｔ2＋ｃ3Ｔ3   （ただし、ｃ1＜ｃ2＜ｃ3）…（１）
と決定した上で、上記「Ｒ」の明度値Ｒを
Ｒ＝（Ｔ／Ｔmax）×２５５                              …（２）
と決定することが可能である。ただし、ｃ1〜ｃ3はＴiを重み付けするための係数であり、Ｔmaxは、上記（１）式を各々の区域ＩＤについて計算したときに得られるＴの最大値である。また、Ｔmax＝０の場合は、（２）式を用いずに明度値Ｒ＝０とする。
【０１１１】
上記（１）式においてｃ1＜ｃ2＜ｃ3としたことにより、階層番号の低い（解像度の低い）情報表示面イメージの表示記録情報における各区域の所属時間に比べて、階層番号の高い（解像度の高い）情報表示面イメージの表示記録情報における各区域の所属時間が、明度値Ｒに対して大きく寄与する（所属時間の長さが同一である場合）こととなる。一般的には、情報表示面イメージ表示装置９の操作者によるイメージ拡大操作等により高い解像度で表示された区域は当該操作者が高い関心をもって閲覧した区域であると評価することが妥当であり、上記（１），（２）式を用いて「Ｒ」の明度値を決定することにより、このような操作者の関心度をも反映したヒートマップイメージを生成することが可能となる。
【０１１２】
なお、各々の階層番号に対応する所属時間から「Ｒ」の明度値を決定する具体的方法は任意であり、ｃ1＜ｃ2＜ｃ3とすることや、上記（１），（２）に従って明度値を決定することは必須ではない。一例として、ｃ1＝ｃ2＝ｃ3とすれば、階層番号に応じた重み付けをせずに、全ての階層に亘る所属時間の合計値として与えられる各区域の所属時間を「Ｒ」の明度値へと寄与させることが可能であるし、あるいはｃ1＝０とすることにより、解像度の低い第１階層の情報表示面イメージとして当該区域が表示されていた時間を無視することも可能である。
【０１１３】
（ステップＳ１３０４）
次に、情報表示面イメージ表示記録情報表示手段６７は、上記階層番号が１の画像データから構成される情報表示面イメージにおいて、上記概念的分割により決定された各々の区域を、上記（１），（２）式により決定された「Ｒ」の明度値、及び「Ｇ」，「Ｂ」に関する所定の明度値からＲＧＢカラーモデルに従い決定される色で着色してなるイメージとしてヒートマップイメージを生成し、表示装置６０の表示画面等に表示する。
【０１１４】
このようにして生成、表示されるヒートマップイメージの一例を、図１４に示す。図示されるヒートマップイメージ中、領域８４内の各区域は、その他の区域に比べて「Ｒ」の明度値が高い色によって着色された区域であり（図面の都合上、当該区域は着色されていない。）、情報表示面イメージ表示装置９の操作者が領域８４に注目していたことが読み取れる。
【０１１５】
なお、「Ｒ」の明度値を決定するに際して、上記（１）式に示されるとおり、各階層番号に対応する所属時間値Ｔ1〜Ｔ3を組み合わせることは必須ではない。例えば、上記（１）の代りに
Ｔ＝ｃiＴi  （ｉは１〜３のいずれか）
と所属時間スコアを決定すれば、特定の階層番号のみに対応したヒートマップイメージを生成することが可能である（この場合、１つの情報表示面イメージに対して、各々の階層番号に対応する３つのヒートマップイメージが生成される。）。
【０１１６】
また、本実施例においては、ステップＳ１３０１において表示条件としてのユーザＩＤを特定した上で、ヒートマップの生成、表示動作を行っていたが、当該ユーザＩＤを特定せずにヒートマップを生成、表示することも可能である。具体的には、ステップＳ１３０３において各々の区域への着色に用いるべき色を決定するに際し、電子コンテンツＩＤ，ページ番号，階層番号，区域ＩＤの情報項目値が等しく、ユーザＩＤの情報項目値が異なる複数の情報表示面イメージ表示記録情報レコードの所属時間値を合計する（あるいは任意の他の統計処理を行う）等した上で、当該合計等された後の所属時間値をＴiとして用いて、上記（１），（２）式により「Ｒ」の明度値を決定することができる。このようにして表示されるヒートマップは、特定の情報表示面イメージに対する、ユーザ全体としての記事への嗜好、閲覧動作の傾向を表す。
【０１１７】
実施態様におけるバリエーション
以下、本発明の実施態様として採用しうるバリエーションのうち、幾つかの例について説明する。
【実施例２】
【０１１８】
上述の実施例１においては、図１４に示すとおり、情報表示面を２８０の矩形状区域に分割した上で、各区域を所属時間に対応した色で着色することによりヒートマップイメージを表示した。これに対し、区域の集合として「記事領域」を定義した上で、記事領域ごとに「所属時間代表値」を決定し、当該代表値に対応した色で各記事領域を着色すれば、記事レベルでのヒートマップイメージを表示することが可能である。以下、図１５に示すフローチャートに従い、記事レベルでのヒートマップイメージ表示処理を説明する。
【０１１９】
（ステップＳ１５０１）
まず、情報表示面イメージ表示記録情報表示条件入力手段６６は、図１３のステップＳ１３０１と同様に、対象とする情報表示面イメージ、及びユーザを特定する情報の、操作者による入力を受け付ける。
【０１２０】
（ステップＳ１５０２）
次に、情報表示面イメージ表示記録情報表示手段６７は、図１３のステップＳ１３０２と同様に、上記階層番号が１の画像データの各々の画素がいずれの区域に所属するのかを決定することにより、情報表示面を２８０の区域に概念的に分割する。
【０１２１】
（ステップＳ１５０３）
さらに、情報表示面イメージ表示記録情報表示手段６７は、各区域に対して記事領域ＩＤを与えることにより、各々の区域が含まれる記事領域を特定する。これにより、区域の集合として記事領域が定義される。一例においては、情報表示面イメージ表示記録情報表示手段６７が、情報表示面イメージの情報表示面を各区域に分割してなるイメージ（図１４のヒートマップにおいて、各区域が着色されていないイメージ）を表示装置６０の表示画面上に表示し、さらに情報表示面イメージ表示記録情報表示条件入力手段６６が、情報表示面イメージ表示記録情報処理装置１０の操作者による、入力装置６１を介した記事領域規定条件の入力を受け付ける。操作者は、マウス等の入力装置６１を介して記事領域の境界線を入力する等して、記事領域規定条件を入力する。
【０１２２】
図１６に、操作者により入力された記事領域の境界線の一例を示す。操作者は、情報表示面を記事領域８５〜８８へと概念的に分割させるべく、マウスをドラッグして所望の境界線を描く等して、記事領域規定条件を入力する。
【０１２３】
上記入力された境界線に基づき、情報表示面イメージ表示記録情報表示手段６７は、記事領域８５に含まれる区域には記事領域ＩＤとして１を、記事領域８６に含まれる区域には記事領域ＩＤとして２を、記事領域８７に含まれる区域には記事領域ＩＤとして３を、記事領域８８に含まれる区域には記事領域ＩＤとして４を、それぞれ与えて、区域の集合としての記事領域８５〜８８を定義する。より具体的には、図１２の表形式で受信した情報表示面イメージ表示記録情報の各々のレコードに、情報項目としての記事領域ＩＤを追加し、当該表示記録情報の形式を図１７に示す表形式へと拡張した上で、一時記憶装置５９上に保持等する。
【０１２４】
（ステップＳ１５０４）
次に、情報表示面イメージ表示記録情報表示手段６７は、各々の記事領域への着色に用いるべき色を決定する。着色カラーモデルとしては、上述の実施例１と同様にＲＧＢカラーモデルを用いることが可能である。ただし、各区域を着色する色を規定する、上記「Ｒ」の明度値は、当該区域の区域ＩＤを有する表示情報記録レコードの所属時間値のみによって決定するのではなく、当該区域と同じ記事領域に含まれる各々の区域に対応するレコードの所属時間値の組から決定される、「所属時間代表値」を用いて決定することが可能である。
【０１２５】
所属時間代表値は、例えば、上記所属時間値の組に含まれる所属時間値の平均値を用いることができる。この場合、３つの階層の各々について与えられる所属時間平均値をＴ1，Ｔ2，Ｔ3とし、これらを上記（１），（２）に代入することにより、各々の記事領域を着色する色の「Ｒ」の明度値を決定することができる。なお、重み付けに用いる係数の上述の任意性等は、本実施例においても同様に成立する。また、所属時間代表値を平均値とすることも必須ではない。例えば、当該記事領域の幾何学的中心に最も近い位置にある区域の所属時間値を代表値として採用する等、任意の方法で所属時間代表値を決定可能である。
【０１２６】
（ステップＳ１５０５）
次に、情報表示面イメージ表示記録情報表示手段６７は、上記階層番号が１の画像データから構成される情報表示面イメージにおいて、上記概念的分割により決定された各々の区域を、上記（１），（２）式により決定された「Ｒ」の明度値、及び「Ｇ」，「Ｂ」に関する所定の明度値からＲＧＢカラーモデルに従い決定される色で着色してなるイメージとしてヒートマップイメージを生成し、表示装置６０の表示画面等に表示する。上述のとおり、同一の記事領域に含まれる区域に対しては同一の「Ｒ」の明度値が決定されるため、１つの記事領域は同一の色で一様に着色される。
【０１２７】
このようにして生成、表示されるヒートマップイメージの一例を、図１８に示す。図示されるヒートマップイメージ中、記事領域８７内の各区域は、その他の区域に比べて「Ｒ」の明度値が高い色によって着色された区域であり（図面の都合上、当該区域は着色されていない。）、情報表示面イメージ表示装置９の操作者が記事領域８７に注目していたことが読み取れる。
【実施例３】
【０１２８】
上述の実施例１においては、情報表示面イメージ表示装置９の備える情報表示面イメージ表示記録情報生成手段５４により図１２に示す表形式に従い生成された情報表示面イメージ表示記録情報を用いて、特に所属時間の情報項目として記録された値に基づき、各区域の着色に用いるべき色を決定していた。しかしながら、当該色の決定（又は、色以外によって表示を行う場合には、黒色の濃淡等、表示内容の決定）においては、各々の区域が上記所定の表示範囲に所属していた時間として与えられる所属時間以外の要素を反映させることも可能である。
【０１２９】
例えば、情報表示面イメージ表示装置９の記憶装置４７に記憶される電子コンテンツ処理プログラム４８は、そのプログラムモジュールとして、区域指定イベント入力モジュール（不図示）を更に備えることができる。区域指定イベント入力モジュールは、一時記憶装置４３上にロードされて中央制御部４２によって実行されることにより、区域を指定した所定のイベント入力を受け付ける、区域指定イベント入力手段を構成する。
【０１３０】
このような構成において、情報表示面イメージ表示装置９の操作者は、図１９に示すとおり情報表示面イメージ７２が表示されている状態で当該イメージ７２内の任意の位置８９にマウスカーソルを合わせてクリックすることにより、区域指定イベント入力手段に対してクリックイベントを入力することができる（タッチスクリーン上に情報表示面イメージ７２を表示する態様においてはタップイベントを入力する等、具体的構成に応じて入力される所定イベントの態様は異なる。）。
【０１３１】
区域指定イベント入力手段は、当該クリックイベントの発生を検出し、発生位置８９を、イメージ表示部６９内の座標として特定することにより、クリックイベントの入力を受け付ける。クリックイベントが入力されたことに応答し、所属時間決定手段５３は、当該クリックイベントの発生位置８９を含む区域の所属時間値に、例えば１０秒等、所定のボーナス値を加算する（クリックイベントの発生時に表示されていた情報表示面イメージの階層番号と等しい階層番号を有するレコードのみに対して加算処理を行ってもよいし、全ての階層番号のレコードに対して加算処理を行ってもよい。）。
【０１３２】
上記区域指定イベント入力に係る構成以外の構成は、実施例１の構成と同様のものであってよい。この場合、図１２に示す表形式で記録される、各区域の所属時間値は、
（i）１秒等、一定時間ごとに行われる、所属区域判断手段５２による上述の判断において当該区域が所定の表示範囲に所属すると判断された回数に基づき決定される、実施例１において規定されるとおりの「所属時間」と、
（ii）当該区域を指定してクリック等の入力が行われることにより発生するボーナス値と、
の和として決定される「スコア」となる。
【０１３３】
したがって、図１２の表における所属時間の情報項目値として、上記「スコア」を用いるよう、情報表示面イメージ表示記録情報の生成態様を変更し、以降の処理は実施例１と同様の態様で行うこととすれば、表示されるヒートマップイメージは、各区域の表示時間だけでなくクリックイベント等の発生の有無、回数等をも反映するものとなる。情報表示面イメージを構成する画像データを商品広告用の画像データとし、当該画像をクリックすることにより、商品の詳細情報を表示する別のＷｅｂサイトが表示されるよう、画像データにリンク情報を埋め込む場合には、このような構成をとることにより、操作者における当該商品への関心度をさらにきめ細やかに評価することが可能となる。
【０１３４】
なお、上記「スコア」の決定は、情報表示面イメージ表示記録情報処理装置１０において行ってもよい。一例においては、図１２の表における所属時間の情報項目値は実施例１と同様の態様で決定しつつ、図１２に示される表形式に、「イベント入力ボーナス」の情報項目を新たに追加することで情報表示面イメージ表示記録情報の表形式を拡張し、当該「イベント入力ボーナス」の情報項目としては上記ボーナス値を記録する。この場合、情報表示面イメージ表示記録情報表示手段６７によるヒートマップイメージの生成時に、上記（１）式中の所属時間値Ｔiとして、所属時間の情報項目値とイベント入力ボーナスの情報項目値との和を用いることとすれば、同様にクリックイベント等の発生の有無、回数等をも反映したヒートマップイメージを生成することができる。
【０１３５】
また、実施例２の構成に対して上記区域指定イベントの入力に係る構成を導入すれば、記事レベルのヒートマップイメージに上記入力イベントの発生等を反映させることが可能である。例えば、上述のとおり図１２に示される表形式に「イベント入力ボーナス」の情報項目を追加してボーナス値を記録する態様においては、各記事領域の着色に用いる色を決定するに際し、当該記事領域に含まれる各々の区域に対して与えられたボーナス値を上記所属時間代表値に対して加算した上で上記（１），（２）式を用いることができる。
【実施例４】
【０１３６】
また、情報表示面イメージ表示記録情報の情報項目として、電子コンテンツの利用者の個人情報（住所、年齢、性別、職業等）や、情報表示面イメージの表示処理が行われた時間帯、そのときの情報表示面イメージ表示装置９の地理的位置等に関する情報を記録するよう、情報表示面イメージ表示装置９を構成することができる。これらの情報をヒートマップイメージ（あるいは、各区域について決定された所属時間に対応する、その他の任意の表示）に対応付けて表示することにより、ユーザの年齢層、性別等に関連する記事への嗜好や、時間帯、地理的位置に関連する閲覧動作の傾向を把握することが可能となる。以下、そのような実施態様の一例について説明する。
【０１３７】
本実施例において、電子コンテンツ生成装置２による電子コンテンツ及びＸＭＬデータの生成、電子コンテンツ配信サーバ３による電子コンテンツの配信、情報表示面イメージ表示装置９による情報表示面イメージの表示の各動作は、実施例１において説明されたものと同様の態様で実行されるものとする。ただし、情報表示面イメージ表示装置９の記憶装置４７に記憶されたユーザ情報５６は、上述のユーザＩＤに加えて、ユーザ登録の際に用いられた住所、年齢、性別、職業等の個人情報を含むものとする。
【０１３８】
情報表示面イメージ表示記録情報の生成
以下、本実施例において行われる、情報表示面イメージ表示記録情報の生成処理を説明する。
【０１３９】
所属区域判断手段５２による、情報表示面の２８０の区域への概念的分割（既に述べたとおり、区域の数は任意である。）、表示対象範囲（図８中、イメージ表示部６９）内での所定の表示範囲（図１１中、所定の表示範囲８３）の規定、及び所属区域の判断の各動作、及び、所属時間決定手段５３による、各区域における所定の表示範囲への所属時間の決定動作は、実施例１と同様の態様で実行することができる。ただし、上記所属時間決定手段５３による区域ごとの所属時間のカウントは、２４時間ではなく、電子コンテンツ処理プログラム４８の動作パラメータ等によって規定された所定の時間間隔（例えば１時間）に亘って行われるものとする。
【０１４０】
さらに、情報表示面イメージ表示記録情報生成手段５４により生成される情報表示面イメージ表示記録情報は、図１２の表形式を拡張してなる、図２０に表として示されるとおりの形式で、ユーザＩＤ，ユーザ個人情報（住所，年齢，性別，職業等），電子コンテンツＩＤ，ページ番号，階層番号，区域ＩＤ，所属時間，表示状況情報（記録開始時刻，記録終了時刻，地理的位置等），及びその他の任意の情報項目を含むよう構成される。
【０１４１】
上記情報項目中、ユーザ個人情報は、上述のとおりユーザ情報５６に含まれる住所、年齢、性別、職業等の個人情報に対応する。情報表示面イメージ表示装置９の記憶装置４７に記憶されているユーザ情報５６、に含まれるそれぞれの個人情報を、必要に応じてコード番号等で表すことにより、ユーザ個人情報の情報項目として含まれる各々の情報項目が決定される。
【０１４２】
また、上記情報項目中、表示状況情報は、情報表示面イメージの情報表示面内、各区域について表示時間の計測が開始された時刻を表す記録開始時刻、当該計測が終了した時刻を表す記録終了時刻、当該計測が行われていたときの情報表示面イメージ表示装置９の地理的位置、等の情報項目を含む。
【０１４３】
情報表示面イメージ表示記録情報生成手段５４は、図１２の表形式に含まれる情報項目に加えてこれらの情報項目も決定することにより、情報表示面イメージ表示記録情報レコードを生成する。なお、上記地理的位置は、情報表示面イメージ表示装置９が据え置き型のパーソナルコンピュータであるならば、典型的には上記ユーザ情報５６に含まれる住所を用いて決定されるし、ＧＰＳ（Ｇｌｏｂａｌ  Ｐｏｓｉｔｉｏｎｉｎｇ  Ｓｙｓｔｅｍ）受信機が搭載された携帯端末であるばあいには、ＧＰＳ機能を用いて決定可能である。
【０１４４】
ここで、特に情報表示面イメージ表示装置９が携帯端末である場合には、ユーザが移動することにより、上記記録開始時刻と記録終了時刻との間で当該端末の地理的位置が大きく変わることがある。したがって、情報表示面イメージ表示記録情報の情報項目中、表示状況情報に含まれる地理的位置の決定を、どのタイミングで行うべきかという問題が生じる。
【０１４５】
この問題は、
（i）まず、記録開始時刻における情報表示面イメージ表示装置９の地理的位置として、上記地理的位置の決定を行う。
（ii）例えば上記ＧＰＳ機能により情報表示面イメージ表示装置９の地理的位置を定期的に監視し、取得される緯度、経度から特定されるエリア（当該地理的位置を含む都道府県等）が変更されたタイミングで、情報表示面イメージ表示記録情報レコードのコピーを新たに生成する（エリア変更前に存在していた各々のレコードのコピーを生成する。）。
（iii）新たに生成された情報表示面イメージ表示記録情報レコードの情報項目中、地理的位置の項目を、当該エリア変更された後の地理的位置により更新する。
（iv）上記新たに生成された情報表示面イメージ表示記録情報レコードの情報項目中、所属時間の項目を、一旦ゼロへと初期化する。
等の方法により解決可能である。
【０１４６】
ここにおいて、上記新たに生成されたレコードの情報項目中、所属時間は、上記エリア変更後に各区域が所定の表示範囲に所属していた時間として、新たにゼロからカウントされる。また、地理的位置、所属時間以外の情報項目は、エリア変更前後に対応する両レコードにおいて同一である。すなわち、情報表示面イメージの表示時間の計測を行うべき、所定の時間間隔（上述のとおり、例えば１時間）の間に、情報表示面イメージ表示装置９が、例えば神奈川県から東京都、埼玉県へと移動した場合には、それぞれの県、都に対応するレコードの組として、合計３組の情報表示面イメージ表示記録情報レコードが生成されることとなる。
【０１４７】
情報表示面イメージ表示記録情報の送信
生成された情報表示面イメージ表示記録情報は、情報表示面イメージ表示記録情報送信手段５５により、情報表示面イメージ表示記録情報処理装置１０へと送信される。当該送信は実施例１と同様の態様で行うことができる。本実施例においても、当該送信される情報表示面イメージ表示記録情報の電子コンテンツＩＤ，ページ番号を属性情報として有し、階層番号が１である画像データを、情報表示面イメージ表示記録情報と共に情報表示面イメージ表示記録情報処理装置１０へ送信するものとする。なお、表示時間の計測を行う時間が１時間等の比較的短時間である場合には、随時生成されるレコードを記憶装置４７に格納しておき、一日一回等、所定のタイミングでまとめて送信することが好ましい。
【０１４８】
情報表示面イメージ表示記録情報を用いた表示
実施例１において、ヒートマップイメージの表示条件としてユーザＩＤの情報項目が入力されていた場合、図１４に示すとおり表示されるヒートマップイメージは、特定の１人のユーザにおける記事への嗜好、閲覧動作の傾向を表すものであった。一方で、ユーザＩＤの情報項目が入力されていない場合、表示されるヒートマップイメージは、同一の電子コンテンツＩＤ，ページ番号により規定される同一の情報表示面イメージに対する、ユーザ全体としての上記嗜好、傾向を表していた。
【０１４９】
これに対し、本実施例においては、後述のメニュー画面を介して入力された種々の表示条件を用いて、ユーザの年齢層、性別、情報表示面イメージの表示が行われた時間帯、地理的位置等に関連する上記嗜好、傾向をも反映したヒートマップイメージ、又はその他の表示が生成、表示される。以下、その具体的処理を説明する。
【０１５０】
まず、情報表示面イメージ表示記録情報処理装置１０は、情報表示面イメージ表示記録情報受信手段６５により情報表示面イメージ表示記録情報、及び上記階層番号が１の画像データを受信し、一時記憶装置５９上に保持するか、又は記憶装置６３に記憶する。情報表示面イメージ表示記録情報表示手段６７は、この記録情報、及び画像データを用いて、各区域について決定された上記所属時間に対応する表示を、各区域に対応付けて表示装置６０の表示画面等に表示する。
【０１５１】
ヒートマップイメージとして表示を行う例について述べれば、当該イメージの生成、表示動作は、実施例１と同様に図１３のフローチャートに示すステップＳ１３０１〜Ｓ１３０４によって行うことが可能である。ただし、情報表示面イメージ表示記録情報の表形式が図２０に示すとおり拡張されたことに伴い、ステップＳ１３０１において、情報表示面イメージ表示記録情報処理装置１０の操作者は、ヒートマップイメージの表示条件を更に詳細に指定することが可能となる。これに伴い、ステップＳ１３０３において行われる色の決定動作も、実施例１とは異なるものとなる。
【０１５２】
（ステップＳ１３０１）
図２１に、ヒートマップイメージの表示条件を入力するための、メニュー画面の一例を示す。メニュー画面９０は、電子コンテンツ名入力欄９１，ページ番号入力欄９２，記録時間入力欄９３，計測エリア入力欄９４，年齢層入力欄９５，性別入力欄９６，ヒートマップ表示ボタン９７，終了ボタン９８を含み、情報表示面イメージ表示記録情報処理装置１０の操作者は、入力欄９１〜９６に各々の表示条件を入力することができる。なお、電子コンテンツ名入力欄９１，ページ番号入力欄９２，計測エリア入力欄９４，性別入力欄９６については、プルダウンメニューとしてこれら入力欄を構成し、予め用意された入力内容から操作者が任意のものを選択することが好ましい。一例として、電子コンテンツ名入力欄９１のプルダウンメニューがクリックされた場合には、予め用意された電子コンテンツ名のリストが一覧表示され、操作者は当該リスト内から所望の電子コンテンツ名を選択することにより、表示条件としての電子コンテンツＩＤを指定できる。また、ページ番号入力欄９２のプルダウンメニューがクリックされた場合には、電子コンテンツ名入力欄９１への入力により現在指定されている電子コンテンツの総ページ数に応じて選択可能なページ番号のリストが一覧表示され、操作者は当該リスト内から所望のページ番号を指定することができる（情報表示面イメージ表示記録処理装置１０の記憶装置６３には、電子コンテンツＩＤ，電子コンテンツ名，総ページ数等の情報項目を含む表形式で、存在する電子コンテンツの情報がデータベース（不図示）として記憶されているものとする。情報表示面イメージ表示記録情報表示条件入力手段６６は、当該データベースに記憶された情報を用いて、プルダウンメニューにおいて表示すべきリストの内容を決定する。）。その他、計測エリアの候補として提示すべきエリアの一覧、性別の一覧も、あらかじめ記憶装置６３に記憶されているものとする（図２０の表形式において、地理的位置の情報項目値は、典型的には上記エリアの各々に対応するコード番号等で規定される。記憶装置６３は、当該コード番号と、計測エリア入力欄９４のプルダウンメニューにおいて表示すべき計測エリア名と、の情報項目を含む表形式で、計測エリアの情報をデータベース（不図示）として記憶しているものとする。操作者がプルダウンメニューから計測エリア名を決定することにより、ヒートマップイメージの表示条件としての上記地理的位置のコード番号が指定される。性別についても、同様にコード番号等を介して指定されるものとする。）。
【０１５３】
上記表示条件を入力した上で表示ボタン９７を押下することにより、入力された条件に従い、ステップＳ１３０２〜Ｓ１３０４の処理を経てヒートマップイメージが生成、表示される（終了ボタン９８が押下された場合は、例えばメニュー画面９０の表示が終了し、情報表示面イメージ表示記録情報処理プログラム６４の実行も終了する。）。
【０１５４】
（ステップＳ１３０２）
実施例１と同様に、情報表示面イメージ表示記録情報表示手段６７は、ステップＳ１３０１において指定されたものと等しい電子コンテンツＩＤ，ページ番号がメタデータとして付加された、上記階層番号が１の画像データ、から構成される情報表示面イメージの情報表示面を、図１０に示される区域と同様の区域へと概念的に分割する。
【０１５５】
（ステップＳ１３０３）
次に、情報表示面イメージ表示記録情報表示手段６７は、各々の区域への着色に用いるべき色を決定する。各区域に対する色の決定は、
（i）ステップＳ１３０１において入力された表示条件に従って、ヒートマップイメージの生成に用いるべき情報表示面イメージ表示記録情報のレコードを抽出する。
（ii）抽出されたレコードの情報項目中、所属時間値を合計する（あるいは任意の他の統計処理を行う）等した上で、当該合計等された後の所属時間値を用いて、実施例１と同様に上記（１），（２）式により「Ｒ」の明度値を決定する。
という手順で行うことができる。
【０１５６】
具体的に、メニュー画面９０に示すとおり表示条件が入力されている場合、情報表示面イメージ表示記録情報表示手段６７は、情報表示面イメージ表示装置９から送信されて、一時記憶装置５９上に保持、又は記憶装置６３に記憶された情報表示面イメージ表示記録情報レコードのうち、
−電子コンテンツＩＤが、電子コンテンツ名入力欄９１に入力された電子コンテンツ名に対応する電子コンテンツＩＤに等しい（当該対応関係は、既に述べたとおり記憶装置６３に記憶された電子コンテンツの情報のデータベースにより規定されている。）。
−ページ番号が、ページ番号入力欄９２に入力されたページ番号に等しい。
−記録開始時刻、記録終了時刻の両方が、記録時間入力欄９３に入力された記録時間の範囲内に属している。
−地理的位置が、計測エリア入力欄９４に入力された計測エリアに対応するコード番号等に等しい（当該対応関係は、既に述べたとおり記憶装置６３に記憶された計測エリアの情報のデータベースにより規定されている。）。
−年齢が、年齢層入力欄９５に入力された年齢範囲内である。
−性別が、性別入力欄９６に入力された性別に対応するコード番号等に等しい。
という条件を満たすレコードを抽出する。
【０１５７】
その上で、抽出されたレコードのうち、色を決定すべき処理対象の当該区域に対応する区域ＩＤを有するレコードを階層番号ごとに分類し、各々の階層番号を有するレコードについて、その情報項目中、所属時間値を合計等することにより、上述の所属時間値Ｔiを、ｉ＝１〜３の各々について決定する。以下、このようにして決定されたＴiを用いて上述の（１），（２）式を計算することにより、当該区域に対する「Ｒ」の明度値が決定される。各々の区域について（本実施例においては２８０の区域について）、同様の手順で「Ｒ」の明度値を決定することにより、着色に用いるべき色を決定することができる。
【０１５８】
（ステップＳ１３０４）
実施例１と同様に、情報表示面イメージ表示記録情報表示手段６７は、上記のとおり決定された色で各区域を着色することによりヒートマップイメージを生成し、表示装置６０の表示画面等に表示する。
【０１５９】
このようにして生成されるヒートマップイメージの表示画面の一例を、図２２に示す。表示装置６０の表示画面９９内には、ヒートマップイメージ１００、及び、メニュー画面９０への入力により指定されていた各種の表示条件１０２〜１０７が表示されている。
【０１６０】
図示されるヒートマップイメージ１００中、領域１０１内の各区域は、その他の区域に比べて「Ｒ」の明度値が高い色によって着色された区域である（図面の都合上、当該区域は着色されていない。）。ヒートマップイメージ１００によれば、２０１１年８月１日の１５時から１６時の間において、東京２３区内で電子コンテンツ「○○○○  △△△△□□」の第２ページを閲覧した２５〜３４歳の男性は、特に領域１０１に注目していたことが読み取れる。
【０１６１】
なお、メニュー画面９０内の入力欄のうち、年齢層入力欄９５，性別入力欄９６へと表示条件を入力せずに表示ボタン９７が押下された場合には、上述のレコード抽出条件のうち、年齢、性別の情報項目に対する条件が課されることなく、レコード抽出処理が行われる。この場合、表示されるヒートマップイメージ１００は、２０１１年８月１日の１５時から１６時の間において、東京２３区内で電子コンテンツ「○○○○  △△△△□□」の第２ページを閲覧した全ユーザ（年齢、性別を問わない。）の閲覧動作の傾向を表すものとなる。同様に、メニュー画面９０にて入力可能な表示条件のうち、任意のもののみを入力することにより、ユーザの年齢、性別、情報表示面イメージの表示処理が行われた時間帯、地理的位置等のうち、任意に選択された条件にのみ関連する、嗜好及び傾向を把握することが可能となる。
【０１６２】
また、メニュー画面９０を、ユーザの住所、職業等、その他の任意の情報項目に関する表示条件の入力を受け付けるよう構成してもよいし、その他にも、メニュー画面９０においてはページ番号の入力を受け付けず、図２２の表示画面９９内にページ送りボタンを設ける等することにより、様々なページに関するヒートマップを随時切り替えて表示するよう構成する等、本実施例を任意の態様に変更することが可能である。その他、実施例１〜４において説明した各々の具体的態様を選択的に組み合わせて本発明を実施することが可能である。
【０１６３】
本発明は、上述の実施形態に限られるものではなく、本発明の技術的範囲から逸脱しない範囲で任意に具体的構成を変更することが可能である。
【産業上の利用可能性】
【０１６４】
本発明は、新聞、雑誌等を実紙面イメージで表示する情報表示面イメージの表示記録情報を処理する任意の情報処理システム等において利用可能である。
【符号の説明】
【０１６５】
１          情報表示面イメージ表示システム
２          電子コンテンツ生成装置
３          電子コンテンツ配信サーバ
４          ＦＴＰサーバ
５          電子コンテンツサーバ
６          電子コンテンツデータベース
７          Ｗｅｂサーバ
８−１，２  ネットワーク
９          情報表示面イメージ表示装置
１０        情報表示面イメージ表示記録情報処理装置
１１        中央制御部
１２        一時記憶装置
１３        表示装置
１４        入力装置
１５        ネットワークＩ／Ｆ部
１６        記憶装置
１７        電子コンテンツ生成プログラム
１８        画像・属性取込モジュール
１９        画像データ生成モジュール
２０        画像圧縮サブモジュール
２１        属性情報付与モジュール
２２        ＸＭＬデータ生成モジュール
２３        実紙面イメージデータ
２４        中央制御部
２５        一時記憶装置
２６        表示装置
２７        入力装置
２８        ネットワークＩ／Ｆ部
２９        記憶装置
３０        電子コンテンツデータベース管理プログラム
３１        電子コンテンツ
３２        画像データ
３３        属性情報
３４        中央制御部
３５        一時記憶装置
３６        表示装置
３７        入力装置
３８        ネットワークＩ／Ｆ部
３９        記憶装置
４０        電子コンテンツ配信プログラム
４１        ＸＭＬデータ
４２        中央制御部
４３        一時記憶装置
４４        表示装置
４５        入力装置
４６        ネットワークＩ／Ｆ部
４７        記憶装置
４８        電子コンテンツ処理プログラム
４９        電子コンテンツ受信モジュール
５０        情報表示面イメージ表示条件入力モジュール
５１        情報表示面イメージ表示モジュール
５２        所属区域判断モジュール
５３        所属時間決定モジュール
５４        情報表示面イメージ表示記録情報生成モジュール
５５        情報表示面イメージ表示記録情報送信モジュール
５６        ユーザ情報
５７        情報表示面イメージ表示記録情報
５８        中央制御部
５９        一時記憶装置
６０        表示装置
６１        入力装置
６２        ネットワークＩ／Ｆ部
６３        記憶装置
６４        情報表示面表示記録情報処理プログラム
６５        情報表示面イメージ表示記録情報受信モジュール
６６        情報表示面イメージ表示記録情報表示条件入力モジュール
６７        情報表示面イメージ表示記録情報表示モジュール
６８        情報表示部
６９        イメージ表示部
７０        インターフェース部
７１        電子コンテンツのタイトル
７２        情報表示面イメージ
７３        プルダウンメニュー
７４〜８０  ボタン
８１        ページ数表示部
８２        区域
８３        所定の表示範囲
８４        領域
８５〜８８  記事領域
８９        マウスカーソル位置
９０        メニュー画面
９１        電子コンテンツ名入力欄
９２        ページ番号入力欄
９３        記録時間入力欄
９４        計測エリア入力欄
９５        年齢層入力欄
９６        性別入力欄
９７        ヒートマップ表示ボタン
９８        終了ボタン
９９        表示画面
１００      ヒートマップイメージ
１０１      領域
１０２      表示条件（電子コンテンツ名）
１０３      表示条件（ページ番号）
１０４      表示条件（記録時間）
１０５      表示条件（計測エリア）
１０６      表示条件（年齢層）
１０７      表示条件（性別）
【図１】
2013037577.tif 000003
【図２】
2013037577.tif 000004
【図３】
2013037577.tif 000005
【図４】
2013037577.tif 000006
【図５】
2013037577.tif 000007
【図６】
2013037577.tif 000008
【図７】
2013037577.tif 000009
【図１２】
2013037577.tif 000010
【図１３】
2013037577.tif 000011
【図１５】
2013037577.tif 000012
【図１７】
2013037577.tif 000013
【図２０】
2013037577.tif 000014
【図２１】
2013037577.tif 000015
【図８】
2013037577.tif 000016
【図９】
2013037577.tif 000017
【図１０】
2013037577.tif 000018
【図１１】
2013037577.tif 000019
【図１４】
2013037577.tif 000020
【図１６】
2013037577.tif 000021
【図１８】
2013037577.tif 000022
【図１９】
2013037577.tif 000023
【図２２】
2013037577.tif 000024